(57)【特許請求の範囲】
【請求項１】
複数の機能を有し、前記複数の機能の何れかの機能の動作中においても他の機能の設定を実行可能な複合機能装置であって、
前記複数の機能から何れかの機能を選択する選択手段と、
表示部に操作指示部を具備した操作画面を選択的に表示させる制御手段と、
前記選択手段で選択した機能における処理モードを前記表示部に表示される操作画面の操作指示部を介して設定する設定手段と、を有し、
前記制御手段は、
前記選択手段により何れかの機能が選択された場合に、前記選択された機能の操作指示部を具備した操作画面を前記表示部に表示させ、
前記選択手段による前記選択により前記選択された機能の操作指示部を具備した操作画面を前記表示部にて表示している時に、前記選択された機能とは異なる他の機能の動作が前記複合機能装置にて開始された場合に、前記選択された機能の操作指示部を具備した操作画面を前記表示部に表示した状態で前記他の機能の動作状態を示す表示を前記表示部に実行させ、前記他の機能の動作状態を前記表示部に表示させた状態で前記表示部における前記選択された機能の操作指示部を介しての前記選択された機能の処理モードの設定を可能にすることを特徴とする複合機能装置。
【請求項２】
前記複数の機能は、少なくともコピー機能及びコンピュータからの印刷データを印刷する印刷機能を含むことを特徴とする請求項１記載の複合機能装置。
【請求項３】
前記複数の機能は、少なくともコピー複写機能及び画像記憶装置に対する画像の記憶処理を実行させる画像記憶機能を含むことを特徴とする請求項１記載の複合機能装置。
【請求項４】
前記複数の機能は、少なくともコピー機能及びファクシミリ機能を含むことを特徴とする請求項１記載の複合機能装置。
【請求項５】
前記複数の機能は、少なくともファクシミリ機能及びコンピュータからの印刷データを印刷する印刷機能を含むことを特徴とする請求項１記載の複合機能装置。
【請求項６】
前記複数の機能は、少なくともコピー機能及びファクシミリ機能を含み、
前記制御手段は、
前記選択手段による前記コピー機能の選択により前記コピー機能の操作指示部を具備した操作画面を前記表示部に表示させ、
前記選択手段による前記コピー機能の選択により前記コピー機能の操作指示部を具備した操作画面を前記表示部に表示している時に前記複合機能装置にて前記ファクシミリ機能の動作が開始された場合に、前記コピー機能の操作指示部を具備した操作画面を前記表示部に表示した状態で前記ファクシミリ機能の動作状態を示す表示を前記表示部に実行させ、前記ファクシミリ機能の動作状態を前記表示部に表示させた状態で前記表示部における前記コピー機能の操作指示部を介しての前記コピー機能の処理モードの設定を可能にする
ことを特徴とする請求項１乃至５の何れかに記載の複合機能装置。
【請求項７】
前記複数の機能は、少なくともファクシミリ機能及びコンピュータからの印刷データを印刷する印刷機能を含み、
前記制御手段は、
前記選択手段による前記ファクシミリ機能の選択により前記ファクシミリ機能の操作指示部を具備した操作画面を前記表示部に表示させ、
前記選択手段による前記ファクシミリ機能の選択により前記ファクシミリ機能の操作指示部を具備した操作画面を前記表示部に表示している時に前記複合機能装置にて前記印刷機能の動作が開始された場合に、前記ファクシミリ機能の操作指示部を具備した操作画面を前記表示部に表示した状態で前記印刷機能の動作状態を示す表示を前記表示部に実行させ、前記印刷機能の動作状態を前記表示部に表示させた状態で前記表示部における前記ファクシミリ機能の操作指示部を介しての前記ファクシミリ機能の処理モードの設定を可能にする
ことを特徴とする請求項１乃至６の何れか１つに記載の複合機能装置。
【請求項８】
前記複数の機能は、少なくともコピー機能及びファクシミリ機能を含み、
前記制御手段は、前記コピー機能で選択されているカセット段に用紙があり前記ファクシミリ機能で出力すべき用紙がないときにおいて、前記コピー機能の操作指示部を具備した操作画面を前記表示部に表示させる場合でも、前記ファクシミリ機能の操作指示部を具備した操作画面を前記表示部に表示させる場合でも、用紙補給を促す表示を前記表示部に実行可能にすることを特徴とする請求項１乃至７の何れか１つに記載の複合機能装置。
【請求項９】
前記複数の機能は、少なくともファクシミリ機能を含み、
前記制御手段は、前記ファクシミリ機能の操作指示部を具備した操作画面を前記表示部に表示させた後に前記ファクシミリ機能にてエラーが検知された場合、前記ファクシミリ機能の操作指示部を具備した操作画面にエラー番号を表示可能とする
ことを特徴とする請求項１乃至８記載の何れか１つに記載の複合機能装置。
【請求項１０】
前記複数の機能は、少なくともコピー機能及びファクシミリ機能を含み、
前記制御手段は、前記ファクシミリ機能の操作指示部を具備した操作画面を前記表示部に表示させた後に前記コピー機能にてエラーが検知された場合、前記ファクシミリ機能の操作指示部を具備した操作画面から前記コピー機能の操作指示部を具備した操作画面に切り替えて、前記コピー機能の操作指示部を具備した操作画面でエラーを表示させる
ことを特徴とする請求項１乃至９の何れか１つに記載の複合機能装置。
【請求項１１】
複数の機能を有し、前記複数の機能の何れかの機能の動作中においても他の機能の設定を実行可能な複合機能装置の制御方法であって、
前記複数の機能から何れかの機能を選択する選択ステップと、
表示部に操作指示部を具備した操作画面を選択的に表示させる制御ステップと、
前記選択ステップで選択した機能における処理モードを前記表示部に表示される操作画面の操作指示部を介して設定する設定ステップと、を有し、
前記制御ステップは、
前記選択ステップで何れかの機能が選択された場合に、前記選択された機能の操作指示部を具備した操作画面を前記表示部に表示させ、
前記選択ステップによる前記選択により前記選択された機能の操作指示部を具備した操作画面を前記表示部にて表示している時に、前記選択された機能とは異なる他の機能の動作が前記複合機能装置にて開始された場合に、前記選択された機能の操作指示部を具備した操作画面を前記表示部に表示した状態で前記他の機能の動作状態を示す表示を前記表示部により実行可能にし、前記他の機能の動作状態を前記表示部に表示させた状態で前記表示部における前記選択された機能の操作指示部を介しての前記選択された機能の処理モードの設定を可能にする
ことを特徴とする複合機能装置の制御方法。
【請求項１２】
前記複数の機能は、少なくともコピー機能及びコンピュータからの印刷データを印刷する印刷機能を含むことを特徴とする請求項１１記載の複合機能装置の制御方法。
【請求項１３】
前記複数の機能は、少なくともコピー複写機能及び画像記憶装置に対する画像の記憶処理を実行させる画像記憶機能を含むことを特徴とする請求項１１記載の複合機能装置の制御方法。
【請求項１４】
前記複数の機能は、少なくともコピー機能及びファクシミリ機能を含むことを特徴とする請求項１１記載の複合機能装置の制御方法。
【請求項１５】
前記複数の機能は、少なくともファクシミリ機能及びコンピュータからの印刷データを印刷する印刷機能を含むことを特徴とする請求項１１記載の複合機能装置の制御方法。
【請求項１６】
前記複数の機能は、少なくともコピー機能及びファクシミリ機能を含み、
前記制御ステップは、
前記選択ステップによる前記コピー機能の選択により前記コピー機能の操作指示部を具備した操作画面を前記表示部に表示させ、
前記選択ステップによる前記コピー機能の選択により前記コピー機能の操作指示部を具備した操作画面を前記表示部に表示している時に前記複合機能装置にて前記ファクシミリ機能の動作が開始された場合に、前記コピー機能の操作指示部を具備した操作画面を前記表示部に表示した状態で前記ファクシミリ機能の動作状態を示す表示を前記表示部により実行可能にし、前記ファクシミリ機能の動作状態を前記表示部に表示させた状態で前記表示部における前記コピー機能の操作指示部を介しての前記コピー機能の処理モードの設定を可能にする
ことを特徴とする請求項１１乃至１５の何れか１つに記載の複合機能装置の制御方法。
【請求項１７】
前記複数の機能は、少なくともファクシミリ機能及びコンピュータからの印刷データを印刷する印刷機能を含み、
前記制御ステップは、
前記選択ステップによる前記ファクシミリ機能の選択により前記ファクシミリ機能の操作指示部を具備した操作画面を前記表示部に表示させ、
前記選択ステップによる前記ファクシミリ機能の選択により前記ファクシミリ機能の操作指示部を具備した操作画面を前記表示部に表示している時に前記複合機能装置にて前記印刷機能の動作が開始された場合に、前記ファクシミリ機能の操作指示部を具備した操作画面を前記表示部に表示した状態で前記印刷機能の動作状態を示す表示を前記表示部により実行可能にし、前記印刷機能の動作状態を前記表示部に表示させた状態で前記表示部における前記ファクシミリ機能の操作指示部を介しての前記ファクシミリ機能の処理モードの設定を可能にする
ことを特徴とする請求項１１乃至１６の何れか１つに記載の複合機能装置の制御方法。
【請求項１８】
前記複数の機能は、少なくともコピー機能及びファクシミリ機能を含み、
前記制御ステップは、前記コピー機能で選択されているカセット段に用紙があり前記ファクシミリ機能で出力すべき用紙がないときにおいて、前記コピー機能の操作指示部を具備した操作画面を前記表示部に表示させる場合でも、前記ファクシミリ機能の操作指示部を具備した操作画面を前記表示部に表示させる場合でも、用紙補給を促す表示を前記表示部に実行可能にする
ことを特徴とする請求項１１乃至１７の何れか１つに記載の複合機能装置の制御方法。
【請求項１９】
前記複数の機能は、少なくともファクシミリ機能を含み、
前記制御ステップは、前記ファクシミリ機能の操作指示部を具備した操作画面を前記表示部に表示させた後に前記ファクシミリ機能にてエラーが検知された場合、前記ファクシミリ機能の操作指示部を具備した操作画面にエラー番号を表示可能とする
ことを特徴とする請求項１１乃至１８記載の何れか１つに記載の複合機能装置の制御方法。
【請求項２０】
前記複数の機能は、少なくともコピー機能及びファクシミリ機能を含み、
前記制御ステップは、前記ファクシミリ機能の操作指示部を具備した操作画面を前記表示部に表示させた後に前記コピー機能にてエラーが検知された場合、前記ファクシミリ機能の操作指示部を具備した操作画面から前記コピー機能の操作指示部を具備した操作画面に切り替えて、前記コピー機能の操作指示部を具備した操作画面でエラーを表示させる
ことを特徴とする請求項１１乃至１９の何れか１つに記載の複合機能装置の制御方法。
【請求項２１】
前記制御ステップは、前記選択ステップで何れかの機能が選択されたら、前記選択された機能の操作指示部及び前記操作指示部を介して設定された処理モードを示す情報を表示するための処理モード表示部とを具備した操作画面を前記表示部に表示させる
ことを特徴とすることを特徴とする請求項１１乃至２０の何れか１つに記載の複合機能装置の制御方法。
【請求項２２】
前記制御ステップは、前記選択ステップで選択された機能の操作指示部を具備した操作画面を前記表示部に表示させた状態で、動作中の機能の状態を表すメッセージを前記表示部に表示させる
ことを特徴とする請求項１１乃至２１の何れかに記載の複合機能装置の制御方法。
【請求項２３】
前記制御ステップは、前記選択ステップで何れかの機能が選択されたら、前記選択ステップで選択された機能の操作指示部と前記選択ステップで選択された機能を表すアイコンを具備した操作画面を前記表示部に表示させ、
前記選択ステップで選択された機能の操作画面を前記表示部に表示している時に、前記操作画面の機能とは異なる他の機能からの動作が行われた場合に、前記選択ステップで選択された機能を表す前記アイコンの近傍に前記動作中の他の機能を表すアイコンを表示させ、前記他の機能の動作が終了したら、前記２つのアイコンのうちの前記他の機能のアイコンだけを前記表示部から消去させることを特徴とする請求項１１乃至２１の何れかに記載の複合機能装置の制御方法。
【請求項２４】
前記制御ステップは、前記選択ステップで何れかの機能が選択されたら、前記選択ステップで選択された機能のタッチパネルキーを具備した操作画面を表示部に表示させることを特徴とする請求項１１乃至２３の何れかに記載の複合機能装置の制御方法。
【発明の詳細な説明】
【技術分野】
【０００１】
本発明は複合機能装置及びその制御方法に関し、例えば、デジタル複写機をベースとしてファクシミリ機能、プリンタフォーマッタ機能、電子ファイル機能等の複数の機能を任意に付加できる複合機能装置及びその制御方法に関するものである。
【背景技術】
【０００２】
近年、デジタル複写機のスキャナ、プリンタを使用してファクシミリ通信を行ったり、あるいはデジタル複写機のプリンタ部を使用してコンピュータからのコードデータをビットマップデータに展開してプリントアウトが可能な複合機が実用化されている。
【０００３】
また、このような複合化は、複写機能とファクシミリ機能、プリンタフォーマッタ機能、画像電子ファイル機能、イメージメモリ機能等、３つ以上の機能を一つのユニットとして構成している。これらの機能の設定は、操作部上に各機能に対応するアイコンを表示させ、機能に対応するアイコンが押されたときに、その機能の設定ができるように構成されている。
【特許文献１】特開平５−１３０３１１号公報
【発明の開示】
【発明が解決しようとする課題】
【０００４】
しかしながら、上記のような多数の機能を付加できる複合機では、複数の機能の中から選択された機能の操作キーを具備した操作画面を表示部に表示させ、該キーを介して該選択された機能の処理モードを設定可能にするもので、該選択された機能の操作画面を表示している時に該機能とは異なる他の機能の動作が開始された場合に、該選択された機能の操作画面を該表示部に表示した状態で該他の機能の動作状態を該表示部に表示させることができず、該他の機能の動作状態を該表示部に表示させた状態で該表示部における該選択された機能の操作キーによる該選択された機能の処理モードを設定することが出来なかった。このように、複合機の使い勝手が悪かった。
【課題を解決するための手段】
【０００５】
本発明は上述の課題を解決することを目的としてなされたもので、上述の課題を解決する一手段として以下の構成を備える。
【０００６】
即ち、本発明は、少なくとも原稿画像をコピーするコピー機能と、コンピュータからの印刷データを印刷する印刷機能とを有する複合機能装置であって、前記コピー機能と前記印刷機能を含む複数の機能から１つの機能を選択する選択手段と、前記選択手段によって選択された機能における処理モードを設定可能なキー入力手段と、前記キー入力手段による前記処理モードの設定が一定時間行われない場合に前記キー入力手段により設定された処理モードを初期設定にする自動クリア手段と、前記自動クリア手段で処理モードを初期設定にした時に選択されるべき機能として前記コピー機能及び前記印刷機能を含む前記複数の機能の中から何れかの機能を指定する指定手段とを備える複合機能装置を提供することを目的とする。
【０００７】
又、本発明は、複数の機能を実行可能な複合機能装置であって、前記複数の機能から１つの機能を選択する第１の選択手段と、前記第１の選択手段で選択した機能における処理モードを指定可能なキー入力手段と、前記キー入力手段による前記処理モードの指定が一定時間なされない場合に前記キー入力手段により指定された処理モードを初期設定にする自動クリア手段と、前記自動クリア手段で処理モードを初期設定にした時に選択されるべき機能として、前記第１の選択手段で選択した機能を維持するか、前記複数の機能のうちの予め指定された機能を選択するか、の指定を行う指定手段とを備えることを特徴する複合機能装置を提供することを目的とする。
【０００８】
又、本発明は、少なくとも原稿画像をコピーするコピー機能と画像記憶装置に対する画像の記憶処理を実行させる画像記憶機能とを有する複合機能装置であって、前記コピー機能と前記画像記憶機能を含む複数の機能から１つの機能を選択する選択手段と、前記選択手段によって選択された機能における処理モードを設定可能なキー入力手段と、前記キー入力手段による前記処理モードの設定が一定時間行われない場合に前記キー入力手段により設定された処理モードを初期設定にする自動クリア手段と、前記自動クリア手段で処理モードを初期設定にした時に選択されるべき機能として前記コピー機能及び前記画像記憶機能とを含む前記複数の機能の中から何れかの機能を指定する指定手段とを備えることを特徴とする複合機能装置を提供することを目的とする。
【０００９】
又、本発明は、少なくとも原稿画像をコピーするコピー機能と画像記憶装置に対する画像の記憶処理を実行させる画像記憶機能とを有し、前記コピー機能と前記画像記憶機能を含む複数の機能から１つの機能を選択する選択手段と、前記選択手段によって選択された機能における処理モードを設定可能なキー入力手段と、前記キー入力手段による前記処理モードの設定が一定時間行われない場合に前記キー入力手段により設定された処理モードを初期設定にする自動クリア手段とを有する複合機能装置の制御方法であって、前記自動クリア手段で処理モードを初期設定にした時に選択されるべき機能として前記コピー機能及び前記画像記憶機能とを含む前記複数の前記機能の中から何れかの機能を指定する指定ステップと、前記自動クリア手段で処理モードを初期設定にした時に前記指定ステップで指定される機能を選択する自動選択ステップとを有することを特徴とする複合機能装置の制御方法を提供することを目的とする。
【００１０】
又、本発明は、少なくとも原画像をコピーするコピー機能と、コンピュータからの印刷データを印刷する印刷機能とを有し、印刷機能とコピー機能を含む複数の機能から１つの機能を選択する選択手段と、前記選択手段によって選択された機能における処理モードを設定するキー入力手段と、前記キー入力手段による前記処理モードの設定が一定時間行われない場合に前記キー入力手段により設定された処理モードを初期設定にする自動クリア手段とを有する複合機能装置の制御方法であって、前記自動クリア手段で処理モードを初期設定にした時に選択されるべき機能として前記コピー機能及び前記印刷機能とを含む前記複数の機能の中から何れかの機能を予め指定する指定ステップと、前記自動クリア手段で処理モードを初期設定にした時に前記指定ステップで指定される機能を選択する自動選択ステップとを有することを特徴とする複合機能装置の制御方法を提供することを目的とする。
【００１１】
又、本発明は、複数の機能から１つの機能を選択する選択手段と、前記選択手段によって選択された機能における処理モードを設定するキー入力手段と、一定時間、前記選択手段で選択された機能において装置の操作がない場合に前記キー入力手段によって設定された処理モードを初期設定にするための自動クリア手段とを有する複合機能装置の制御方法であって、前記自動クリア手段で処理モードを初期設定にした時に選択されるべき機能として、前記第１の選択手段で選択した機能を維持するか、前記複数の機能のうちの予め指定された機能を選択するか、の指定を行う指定ステップと、前記自動クリア手段で処理モードを初期設定にした時に、前記指定ステップの指定に従って、前記選択手段によって選択された機能を維持するか、前記複数の機能のうちの予め指定された機能を選択するか、の制御を行う制御ステップとを有することを特徴とする複合機能装置の制御方法を提供することを目的とする。
【発明の効果】
【００１２】
本発明によれば、複数の機能の中から選択された機能の操作キーを具備した操作画面を表示部に表示させ、該キーを介して該選択された機能の処理モードを設定可能にするもので、該選択された機能の操作画面を表示している時に該機能とは異なる他の機能の動作が開始された場合に、該選択された機能の操作画面を該表示部に表示した状態で該他の機能の動作状態を該表示部に表示させることができ、該他の機能の動作状態を該表示部に表示させた状態で該表示部における該選択された機能の操作キーによる該選択された機能の処理モードを設定することが出来るので、複合機の使い勝手が良い。
【発明を実施するための最良の形態】
【００１３】
以下図面を参照して本発明に係る一実施例を詳説する。
【００１４】
図１は本発明に係る一実施例の画像形成システムの構成を表わすブロック図である。
【００１５】
図１において、１は原稿画像を読み取り、画像データに変換する画像入力装置（以下リーダ部と称する）、２は複数種類の記録紙カセットを有し、プリント命令により画像データを記録紙上に可視像として出力する画像出力装置（以下プリンタと称する）、３はリーダ部１と電気的に接続された外部装置であり、各種の機能を有する。外部装置３には、ファクシミリ部４、ファイル部５、またはファイル部５と接続されている外部記憶装置６、コンピュータおよびＬＡＮと接続するためのコンピュータインタフェース部７、コンピュータからの情報を画像データに変換するためのフォーマッタ部８、リーダ部１からの情報を蓄積したり、コンピュータから送られてきた情報を一時的に蓄積するためのイメージメモリ部９、及び上記各機能を制御するコア部１０等を備えている。
【００１６】
図２は、図１に示すリーダ部１及びプリンタ部２の構成を示す断面図であり、以下、図２を参照してリーダ部１及びプリンタ部２の構成および動作について説明する。
【００１７】
原稿給送装置１０１上に積載された原稿は、１枚づつ順次原稿台ガラス面１０２上に搬送される。原稿がガラス面１０２の所定位置へ搬送されると、スキャナ部のランプ１０３が点灯、かつスキャナ・ユニット１０４が移動して原稿を照射する。原稿の反射光は、ミラー１０５，１０６，１０７、レンズ１０８を介してＣＣＤイメージ・センサ部１０９（以下ＣＣＤと称する）に入力される。
【００１８】
ＣＣＤ１０９に照射された原稿の反射光は、ここで光電変換される。変換された電気信号は、画像処理部１１０において、各種の画像処理が施されて、外部切り替え回路に至る。
【００１９】
外部切り替え回路は、リーダ部１からの信号をプリンタ部２または外部装置３へ切り替えるセレクタである。また、リーダ部１からの信号と、外部装置３からの信号のいずれかを選択し、プリンタ部２に接続する働きも行う。
【００２０】
画像処理部１１０の外部切り替え回路にて、プリンタ部２へ接続された電気信号は、露光制御部２０１にて変調された光信号に変換されて感光体２０２を照射する。照射光によって感光体２０２上に作られた潜像は現像器２０３によって現像される。
【００２１】
上記現像像の先端とタイミングを併せて転写紙積載部２０４、もしくは転写紙積載部２０５より転写紙が搬送され、転写部２０６において、上記現像された像が転写される。転写された像は定着部２０７にて転写紙に定着された後、排紙部２０８より装置外部に排出される。排紙部２０８から出力された転写紙は、ソータ２２０でソート機能が働いている場合には、各ビンに、またはソート機能が働いていない場合には、ソータの最上位のビンに排出される。
【００２２】
続いて、順次読み込む画像を１枚の出力用紙の両面に出力する方法について説明する。
【００２３】
定着部２０７で定着された出力用紙を、一度、排紙部２０８まで搬送後、用紙の搬送向きを反転して搬送方向切り替え部材２０９を介して再給紙用被転写紙積載部２１０に搬送する。次の原稿が準備されると、上記プロセスと同様にして原稿画像が読みとられるが転写紙については再給紙用被転写紙積載部２１０より給紙されるので、結局、同一出力紙の表面、裏面に２枚の原稿画像を出力することができる。
【００２４】
図３は、リーダ部１にある操作パネルの構成図である。図３において、３０１は表示部であり動作状態・メッセージを表示する。また、表示部３０１は表面はタッチパネルになっていて、表面を触ることにより選択キーとして働く。３０２はテンキーであり、数字を入力するキーである。３０３はスタートキーであり、このキーを押すことにより動作を開始する。
【００２５】
次に、図４〜図９のフローチャートを用いて、以上の構成を備える本実施例の動作を説明する。
【００２６】
装置の電源投入後、図４の処理の進み、先ずステップＳ４０１で初期設定が行われる。そして例えば、リーダ部１の操作パネルの表示部３０１に動作モード選択キーが表示され、選択キーの上のパネルが触れられることにより、モードが選択される。
ステップＳ４０１の初期設定処理の詳細フローチャートを図１０に示す。図１０において、電源投入後、ステップＳ１０１でどの機能の設定画面を表示するかを予めバックアップメモリ上に設定された所定値から判断する。次にステップＳ１０２で、その機能が使用できるかどうか判断する。使用できる機能であれば、ステップＳ１０３に進み、選択した画面を表示してリターンする。
【００２７】
一方、使用できない機能が設定されている場合には、ステップＳ１０４に進み、コピー機能の設定画面を表示してリターンする。なお、電源投入後、どの機能の設定画面を表示するかは、後述する共通機能設定モードで選択する。
【００２８】
以上の各機能の選択キーは、本実施例装置に装着可能な各機能のボードの有無により、表示されたりされなかったりする。
【００２９】
例えば、ファクシミリ部機能ボードだけが装着されている場合には、図１１に示す表示となる。また、ファクシミリ部、プリンタフォーマッタ部、ファイル部の各機能ボードが装着されている場合には図１２に示す表示となる。
【００３０】
図１２の表示が行われている時に、図の右下に示す『下矢印キー』が選択入力されると、選択項目が変わり、図１３に示すファイル部と、各機能の共通の項目を設定する共通設定部が表示される。そしてこの図１３の表示状態時に、右下に示す『戻りキー』を選択入力すると、再び図１２の表示に戻る。
【００３１】
このようにして図４のステップＳ４０１の初期設定処理が終了すると図４のステップＳ４０２の処理に進み、選択されたモードがコピーモードかどうか判定される。コピーモードのときは、図５に示すステップＳ５０１の処理に進む。一方、選択されたモードがコピーモードでない場合にはステップＳ４０２よりステップＳ４０３に進み、ファクシミリ送信モードかどうか判定される。ファクシミリ送信モードのときは図６のステップＳ６０１に進む。
【００３２】
ステップＳ４０３で選択されたモードがファクシミリ送信モードでない時にはステップＳ４０４に進み、ファイルモードかどうか判定される。ファイルモードのときは図７に示すステップＳ７０１に進む。一方、ステップＳ４０４で選択されたモードがファイルモードでない時にはコンピュータインタフェースからの入力モードか（外部入力か）どうか判定される。コンピュータインタフェースからの入力モードのときには図８に示すステップＳ８０１に進む。
【００３３】
一方、ステップＳ４０５で選択されたモードがコンピュータインタフェースからの入力モードでない場合にはステップＳ４０６に進み、ファクシミリ受信モードかどうか判定される。選択されたモードがファクシミリ受信モードでない場合にはステップＳ４０２に戻り、以上の選択モード判定を繰り返す。
【００３４】
一方、ステップＳ４０６でファクシミリ受信モードが選択されていた場合には図９に示すステップＳ９０１に進む。
【００３５】
図５を参照してコピーモードが選択された場合の処理を詳細に説明する。
【００３６】
まず、ステップＳ５０１でコピー動作における初期設定を行う。続いてステップＳ５０２で操作パネルより入力されるキー３０１・３０２を読み込み、コピー条件を設定する。そしてステップＳ５０３でスタートキー３０３の入力を待つ。コピー動作における操作部の初期画面を図１４に示す。例えば、ｘ，ｙのそれぞれにズームをかけて出力したいときは、画面左側の『応用ズームキー』を押すことで応用ズームモードに入る。応用ズームモードでは図１５に示す表示画面になる。この状態で図１５における『ｘｙ独立ズームキー』を押すと、図１６に示す、画面右側にｘｙ独立ズームを設定する画面が現われる。
【００３７】
本本実施例においては、図１６に示すｘｙ独立ズーム設定画面において、ｘの倍率を指定するときは、『ｘキー』を押して、ｘの倍率を指定することを確認し、『−，＋キー』を押すごとに倍率が変化する。また、テンキーで倍率を入力することもできる。さらに、『−，＋キー』を押し続けると、倍率は変化し続け、キーを放したときに、確定する。これらの、キーは複数のタッチセンサから構成されてタッチパネルキーとして認識させている。
【００３８】
次に、タッチパネルキーを認識させる処理を図１７のフローチャートを参照して以下に説明する。
【００３９】
タッチパネルキーの入力がセンスされると、図１７の処理に移行する。先ずステップＳ２０１において、入力がセンスされた位置を特定する。そして続くステップＳ２０２でこの入力センスが押し続け処理中のものかどうかを判断する。これは、押し続けフラグがセットされている（“１”）か否かで判断する。押し続け処理でない場合は、ステップＳ２０３に進み、センスされた位置を含むキーが画面上にあるか否かを判断する。センスされた位置を含むキーが画面上に無かった場合にはセンスを無効としてステップＳ２０１に戻る。
【００４０】
一方、センスされた位置を含むキーが画面上にあった場合にはステップＳ２０４に進み、この押されたキー入力を確定する。次にステップＳ２０５で、そのキーが押された時の対応するキー入力処理を行ない、続くステップＳ２０６でそのキーがそれ以後、押し続け処理をするかどうかを判断する。押し続け処理を行なわない場合にはステップＳ２０７に進み、押し続け処理を表すフラグをリセットしてステップＳ２０１に戻る。
【００４１】
一方、押し続け処理を行うときはステップＳ２０８に進み、押し続け処理を表すフラグをセットしてステップＳ２０１に戻る。
【００４２】
また、ステップＳ２０２で入力センスが押し続け処理中のものである場合にはステップＳ２０９に進み、センスされた位置が以前に特定されているキー内にあるかどうか判断する。キー内にあればステップＳ２０４以下の処理に移行して、押し続け処理が続けらる。ここで、センスされた位置が以前に特定されているキー内になければ、ステップＳ２０１に戻り、押し続け処理が中断される。
【００４３】
上述した図１６におけるｙの倍率も、ｘと同様な方法で指定される。また、取消キーを押すと、ｘｙ独立ズームの設定が取り消され、図１６の画面より図１４の画面になる。ＯＫキーを押すと、ｘｙ独立ズームの設定が確定され、図１４の画面になる。拡張機能、画像処理などの機能も同様な方法で操作される。
【００４４】
次に、図５のステップＳ５０３で、スタートキーが押されるとステップＳ５０４に進み、リーダ部１で原稿を読み取り、続くステップＳ５０５でプリンタ部２で印刷を行う。本動作については図２の説明と共に上述した。そして、印刷終了後、図４のステップＳ４０１（初期設定処理）に戻る。
【００４５】
以上のコピーモードを設定する操作における操作部の操作画面の表示フローを以下に記す。
【００４６】
先ず図１８〜図２１を参照して記録用紙の選択操作を説明する。初期画面では図１８に示す表示であるが、ここで、『用紙選択キー』を入力すると図１９に示す画面に移行し、用紙カセットの選択が可能となる。この選択は『用紙選択キー』を１回押すと図１８の表示より図１９の表示に変わり、以後、『用紙選択キー』を押す毎に「オート」−「手差し」−「１段目（Ａ４Ｒ）」−「２段目（Ａ４）」−「３段目（Ａ３）」、…、「最下段（Ｂ４）」に変わり、次には再び「オート」に変わる。
【００４７】
例えば、図２０に示す様に「１段目（Ａ４Ｒ）」を選択した状態で一定時間が経過すると、自動的にこの選択を有効として図２１に示す表示画面に移行する。そして、「１段目（Ａ４Ｒ）」を選択したことが示される。
【００４８】
図２２〜図２４は、濃度、文字強調モード、ＨｉＦｉモードを設定する操作における操作部の操作画面の表示フローである。図２２の初期画面では濃度設定は「オート」モードであるが、「Ａキー」両側の矢印キーを押すことで、コピー濃度を調節できる。
【００４９】
薄い鉛筆書きなどの原稿をくっきりコピーしたい場合は、図２２の右下の『文字強調キー』を押すことにより、図２３の表示に移行し、『文字強調キー』の表示を変えて選択されていることを報知する。そして再び『Ａキー』を押下することにより図２２に表示に復帰する。
【００５０】
また、例えば、写真原稿などのトーンを生かしたいときは図２２右下の『ＨｉＦｉモードキー』を押下することにより、図２４の表示に移行し、『ＨｉＦｉモードキー』の表示を変えて選択されていることを報知する。そして再び『Ａキー』を押下することにより図２２に表示に復帰する。
【００５１】
更に、図２３の状態で『ＨｉＦｉモードキー』を押下すれば図２４の状態に移行し、図２４の状態で『文字強調キー』を押すことにより、図２３の表示に移行することができる。
【００５２】
図２５〜図２９は変倍を設定する操作における操作部の操作画面の表示フローである。図２５〜図２９に示す操作により、定型サイズの原稿を定型サイズの用紙に拡大／縮小したり、倍率を１％刻みに設定したり、倍率を自動的に設定することができる。図２５が初期時、又は『等倍キー』入力時の等倍時の表示画面、図２６が『縮小キー』入力時の縮小時の表示画目、図２７が『拡大キー』入力時の拡大時の表示画面、図２８が『ズームキー』入力時のズーム時の表示画面、図２９が図２８における選択画面でオート変倍選択時に移行する表示画面である。各画面よりそれぞれのキー等による選択を行うことにより対応画面に移行する。なお、拡大、縮小比率はそれぞれのキー入力毎にローテートする。
【００５３】
図３０〜３４は、ソートモードを選択する操作における操作部の操作画面の表示フローである。図３０に示す設定画面より左下の『ソーターキー』を選択入力すると図３１に示す表示画面に移行する。そして以後、『ソーターキー』押下毎に図３１の各表示画面を順次ローテートする。即ち、「なし」−「ソート」−「ステイプルソート」−「グループ」−「なし」−を順次ロートートする。そして所望の選択状態で一定時間が経過すると当該選択が有効となり、図３０、図３２〜図３４に示す表示に移行する。即ち、「なし」選択で図３０、「ソート」選択で図３２、「ステイプルソート」選択で図３３、「グループ」選択で図３４がそれぞれ緒選択される。そして各表示状態で『ソートキー』を入力すると対応する移行前の図３１の画面に戻る。
【００５４】
図３５〜４０は、両面モードを設定する操作における操作部の操作画面の表示フローである。
【００５５】
図３５の上段に設定画面より『両面キー』を押下すると下段の表示に移行し、２枚の原稿を用紙の裏表にコピーする（片面→両面）図３６に示す設定画面、左右のページを用紙の裏表にコピーする（ページ連写両面）図３７に示す設定画面（左開き、右開きの選択により上段の設定画面か下段の設定画面かを選択する。）、裏表の原稿を用紙の裏表にコピーする（両面→両面）図３８に示す設定画面を選択することができる。そして各設定画面で『Ｃキー』を入力することにより図３５の画面に戻れる。
【００５６】
また、図３６に示す設定画面から『カウントキー』を押下すると図３９〜図４１に示す原稿のカウント方法の選択画面に移行できる。図３９が原稿オールカウント、図４０が奇数枚原稿カウント、図４１が偶数枚原稿カウントである。なお、これらの画面からは、『Ｃキー』を押下することにより図３６の設定画面に戻れる。
【００５７】
以上の各設定画面で『ＯＫキー』を緒入力することにより、例えば図４２に示す設定終了画面に移行し、先に設定した指示に従ったコピーが行われる。
【００５８】
図４３〜図４６は、連写モードを設定する操作における操作部の操作画面の表示フローである。図４３の上段に示す設定画面より『連写キー』を押下することにより下段の連写モード設定画面に移行する。この連写モード設定画面においては、『ページ連写キー』を入力することにより図４４に示す左右のページを２枚の用紙にコピーする（ページ連写コピー）モードを選択できる。ここでは右開きと左開きを選択できる。
【００５９】
あるいは、連写モード設定画面においては、『両面連写キー』を入力することにより図４５に示す裏表の原稿を２枚の用紙にコピーする（両面連写コピー）モードを選択することができる。そして各設定画面で『ＯＫキー』を入力することにより図４６の画面に移行する。
【００６０】
図４７〜図４９は、表紙モードを設定する操作における操作部の操作画面の表示フローである。図４７の最上段の画面で『表紙キー』を入力すると次段の画面に移行し、『表紙キー』又は『表／裏表紙キー』のいずれかを選択可能である。ここで『Ｃキー』を入力すれば最上段の画面に戻る。
【００６１】
これらの画面で設定ＯＫであれば『ＯＫキー』を入力し、図４８の最上段の表示とする。そして『コピーする』又は『コピーしない』を選択し、選択ＯＫであれば『ＯＫキー』を入力して設定を終了し、図４９の表示とする。このようにして他と異なる用紙で表紙や裏表紙を付ける機能を設定できる。
【００６２】
図５０〜図５２は、ＯＨＰ中差しモードを設定する操作における操作部の操作画面の表示フローである。ＯＨＰフイルムへの中差しを行う場合には、図５０上段の設定画面より『ＯＨＰ中差しキー』を押下する。これにより下段の画面に移行し、下段の画面より『Ｃキー』を押下すると上段の画面に移行する。
【００６３】
下段のＯＨＰ中差し設定画面でＯＨＰフイルムのサイズを選択し、選択が終了すると『ＯＫキー』を押下する。これにより図５１の画面に移行し、中差し用紙にコピーするか否かを選択する。この選択後『ＯＫキー』を入力することにより設定が終了して図５２の画面となる。このモードにより、ＯＨＰフイルムコピー１枚ごとに自動的に中差し用紙をはさむ機能を設定できる。
【００６４】
なお、図５１の画面で『Ｃキー』を入力すると図５０の上段の画面に移行する。
【００６５】
図５３〜図５９は、縮小レイアウトモードを設定する操作における操作部の操作画面の表示フローである。このモードにより２枚／４枚の原稿を縮小して１枚の用紙にコピーする機能を設定することができる。また、カウントを押すことで、原稿のオートカウントをするか、原稿の枚数を指定することができる。
【００６６】
図５３〜図５９において、図５３に示す初期画面で『縮小レイアウトキー』を押下すると図５４〜図５６のいずれかの設定画面に移行する。
【００６７】
即ち、装置画両面コピー機能、ＲＦ機能、ＡＤＦ機能のいずれもを有している場合には図５４の設定画面となり、原稿のサイズ、縮小レイアウトの種類を選択し、選択が終了すると『ＯＫキー』を押下して設定を終了して図５９に示す画面に移行する。なお、図５４の２段目における画面で原稿のサイズがＡ４、Ａ５、Ｂ５、ＳＴＭＴ、ＬＴＲ以外であった場合には図５６の画面に移行する。
【００６８】
一方、装置にＲＦ機能、ＡＤＦ機能のみを有している場合には図５５の設定画面となり、原稿のサイズ、縮小レイアウトの種類を選択するが、図５５に示すサイズ、レイアウト以外は設定できない。選択が終了すると『ＯＫキー』を押下して設定を終了して図５９に示す画面に移行する。
【００６９】
また、両面ユニットのみを有している場合には図５６の設定画面となる。この場合には、縮小レイアウトの「２ｉｎ１］のみ可能である。この選択が終了すると『ＯＫキー』を押下して設定を終了して図５９に示す画面に移行する。
【００７０】
また、以上の各設定画面で『カウントキー』を押下すると図５８の上段に示す画面となり、原稿のオールカウント、又は原稿枚数を設定する。そしてここでは、図５８の下段に示す様に枚数の「＋、−」が可能である。
【００７１】
図６０は、メモリ内に最大９枚までの原稿を縮小して保存して、１枚の用紙にコピーする縮小レイアウトの操作における操作部の操作画面の表示フローである。２in１を指定すると、原稿の表面を２枚分、縮小して１枚の用紙に、２in１両面を指定すると、原稿の表裏を縮小して１枚の用紙にコピーする機能を設定できる。４，８，９in１または、４，８，９in１両面も同様である。
【００７２】
図６１、図６２は、多重モードを設定する操作における操作部の操作画面の表示フローである。
【００７３】
２枚の原稿を１枚の用紙に重ねてコピーする（多重）、２ページの原稿を１枚の紙に重ねてコピーする（ページ連写多重）を選択することができる。図６３〜図６５は、移動モードを設定する操作における操作部の操作画面の表示フローである。このモードにより、平行移動、センタ移動、コーナー移動、原稿を指定位置に移動するモードを選択することができる。
【００７４】
図６３〜図６５において、図６３最上段の設定画面で『移動キー』を押下すると第２段の画面に移行する。ここで『Ｃキー』を入力すれば再び最上段の画面となる。第２段目の画面において、移動する場所を選択する。『センターキー』を押下すれば第３段の画面に、『左矢印キー』を押下すれば最下段の画面となる。第３段目、第４段目でよければ『ＯＫキー』を押下し、図６５の画面となり移動モードの設定を終了する。
【００７５】
一方、図６３の第２段〜第４段の各画面で『指定移動キー』を押下すると図６４に示す最上段の画面に移行する。ここで、基準点をペン入力した場合には第２段の画面に移行する。この画面を見て先のペン入力でよいか否かを調べ、訂正する時には新たな基準点を入力し、ＯＫであれば『ＯＫキー』を入力して設定を終了して図６５の画面に移行する。
【００７６】
図６４の最上段で『テンキー』を入力した場合には図６４の第３段の画面に移行し、移動先の位置を具体的に『テンキー』より入力する。この入力に従って対応する位置が表示される。この入力でＯＫであれば『ＯＫキー』を入力して設定を終了して図６５の画面に移行する。ここで移動先をペン入力したい場合には『ペン入力キー』を入力すいれば最上段の表示に移行する。
【００７７】
図６４のいずれかの表示画面で『Ｃキー』を入力した場合にはいづれも図６３の最上段の表示に戻る。
【００７８】
図６６〜図６９は、とじ代モードを設定する操作における操作部の操作画面の表示フローである。このモードにより、左とじ、右とじを選択でき、とじ代幅、裏面のみとじ代をつけることを設定することができる。
【００７９】
即ち、図６６の画面で『とじ代キー』を押下すると図６７の画面に移行する。ここで『左とじ』あるいは『右とじ』を選択すると図６８の上段の表示に移行する。更に『裏面のみキー』を押下すると図６８下段の裏面のみの設定を可能とする。図６８下段の表示で『裏面のみキー』をオフすれば上段の表示に移行する。
【００８０】
なお、本実施例においては、以上の『裏面のみ』のキーは、装置に「ＲＦ」、「両面ユニット」共に装備されていない時には表示されない。そして、図６８の画面での設定でＯＫの時には『ＯＫキー』を押下し、図６９の画面となりとじ代モードの設定がされたことがわかる表示となる。
【００８１】
一方、図６８の画面で『Ｃキー』を入力すれば図６６に示す画面に復帰可能である。
【００８２】
図７０〜図７３は、枠消しモードを設定する操作における操作部の操作画面の表示フローである。このモードにより、シート枠消し、原稿枠消し、ブック枠消しを選択することができる。
【００８３】
図７０の最上段の表示で『枠消しキー』を入力すると第２段目の表示に移行し、『シート枠消し』、『原稿枠消し』、『ブック枠消し』のいずれかを選択することができる。選択しない時には『Ｃキー』を入力すれば最上段の表示に戻る。『シート枠消し』を選択すると第３段目の表示となり、『原稿枠消し』を選択すると第４段目、『ブック枠消し』を選択すると第５段目の表示となる。
【００８４】
各表示を確認して各設定がＯＫであれば『ＯＫキー』を入力する。『シート枠消し』であれば設定処理を終了して図７３の画面に移行し、枠消しが設定されていることを報知する。また、『原稿枠消し』が設定されている場合には図７１の上段の画面に移行し、原稿のサイズの選択画面となる。ここでセツトされている原稿サイズを入力し、例えば下段の表示等を確認する。そして設定がＯＫであれば『ＯＫキー』を入力して図７３の画面に移行する。設定をやり直すような場合には図７１の各画面で『Ｃキー』を入力することにより図７０の第４段の表示に戻る。
【００８５】
更に、図７０で『ブック枠消し』を選択した場合には図７２の上段の画面に移行し、本の見開きサイズの選択画面となる。ここでセツトされている本の見開きサイズを入力し、例えば下段の表示等を確認する。そして設定がＯＫであれば『ＯＫキー』を入力して図７３の画面に移行する。設定をやり直すような場合には図７２の各画面で『Ｃキー』を入力することにより図７０の第５段の表示に戻る。
【００８６】
図７４、図７５は、パターン化処理モードを設定する操作における操作部の操作画面の表示フローである。このモードにより色付き原稿の各色をパターンや濃度差に置き換えてコピーする機能を設定することができる。また、色の認識範囲の微調整を設定することができる。
【００８７】
図７４の上段の表示画面で『パターン化処理キー』を押下入力すると下段の設定画面に移行する。そしてパターン化の種類を選択可能とする。『パターン表現』を選択した場合には図７５の左上の表示画面に移行し、標準表現でよい場合には『ＯＫキー』を入力して終了画面に移行してパターン化処理が行われたことがわかる表示として処理を終了する。
【００８８】
しかし、ここで微調整をする必要がある場合には『微調整キー』を押下して図７５の左下又は右下の画面とし、各色毎の色認識範囲を微調整する。ＯＫであれば『ＯＫキー』を入力して最終画面に移行する。なおここで、色調整は１〜８の８色について可能であるが、本実施例では４色毎に切り替えて微調整可能としている。
【００８９】
一方、図７４で『濃度差表現』を選択した場合には図７５の右上の表示画面に移行し、標準表現でよい場合には『ＯＫキー』を入力して終了画面に移行してパターン化処理が行われたことがわかる表示として処理を終了する。しかし、ここで微調整をする必要がある場合には『微調整キー』を押下して図７５の下の画面とし、各色毎の色認識範囲を微調整する。ＯＫであれば『ＯＫキー』を入力して最終画面に移行する。
【００９０】
図７６〜図７８は、色消去モードを設定する操作における操作部の操作画面の表示フローである。このモードにより、色付き原稿の指定した色を除いてコピーする場合の消去する色を設定することができる。
【００９１】
図７６に示す設定画面で『色消去キー』を押下入力すると図７７の上段に示す消去する色の選択画面に移行する。ここで所望の消去する色を選択することになる。この各色のキーは（ＯＮ／ＯＦＦ）のいずれかの状態が維持され、例えば下段に示す様に赤色と黄色とが消去される等任意の色の消去を指定可能である。
【００９２】
ここで、色の微調整を行うことが可能であり、『微調整キー』を入力すると上述した図７５の下段の微調整画面に移行し、各色毎の微調整が可能となる。なお、図７７の画面で『Ｃキー』を入力すると図７６の設定画面に戻り、『ＯＫキー』を入力すれば図７８に示す終了画面の表示に移行する。
【００９３】
図７９〜図８１は、マーカ指定モードを設定する操作における操作部の操作画面の表示フローである。このモードにより、マーカで囲われた部分に対して、トリミング、マスキング、イメージクリエイトを選択することができる。
【００９４】
図７９上段の設定画面で『マーカー指定キー』を押下すると下段の設定画面に移行し、マーカー指定の処理に移行する。ここで『トリミング』、『マスキング』、『イメージクリエイト』の各処理を選択可能である。『トリミングキー』を入力した場合には図８０の第１段の設定画面に移行し、『マスキングキー』を入力した場合には図８０の第２段の設定画面に、『イメージクリエイトキー』を入力した場合には図８０の第３段に示す設定画面に移行する。そして各マーカー指定の処理を選択し、選択ＯＫであれば『ＯＫキー』を入力して図８１の最終画面に移行し、マーカー指定が行われた旨の表示がなされる。なお、図８０の第３段の設定画面で、イメージクリエイトの種類が何ら設定されていない場合には『ＯＫキー』入力はクリアキー入力と同じとなる。しかし、ここで例えば『影キー』等のイメージクリエイトのいずれかが選択された場合には図８１の最終画面に移行する。
【００９５】
上述した図８０の例えば第３段又は第４段に示すイメージクリエイト設定画面ではマーカー色の変更等はできなかった。しかし、本実施例は以上の例に限定されるものでは無い。図８２〜図８４は、マーカ色を指定する操作における操作部の操作画面の表示フローである。この処理によりマーカ色として認識する色を設定することができる。
【００９６】
図８２に示す様に『マーカー色』キーを表示させ、マーカー色の指定を可能とする。図８２の例では、マーカー色としては『黄』のみが設定されている。図８２の例で『マーカー色』キーを入力すると図８３に示す設定画面に移行する。ここで、例えば、図８３の下段に示す様に、現在の黄色のみに追加して赤、青、緑の各マーカ色を設定することが可能である。なお、図８３の下段の画面で『取消キー』を入力すると図８２の画面に戻り、『ＯＫキー』を入力すると図８４の画面に移行する。図８４の画面では、図８２の場合と比し、マーカー色として新たに赤、青、緑の各マーカ色が設定されたことが表示される。
【００９７】
図８５〜図９３は、部分処理モードを設定する操作における操作部の操作画面の表示フローである。このモードにより、エリアを指定して、指定されたエリア内ごとに、モードを変えてコピーすることを設定できる。
【００９８】
図８５の最上段の設定画面で『画像処理キー』を入力すると第２段の画面に移行し、『部分処理』選択が可能となる。ここで、『部分処理キー』を入力すると第３段のエリア設定画面となり、エリア１の設定を行う場合には『エリア１キー』をペン入力する。これにより続いてエリア１の領域指定が可能となる。
【００９９】
ここで、エリア入力をペン入力では無く、テンキー具体的数値を入力したい場合には『テンキー入力キー』を入力する。これにより第４段目の画面に移行し、『テンキー』よりの具体的数値での入力が可能となる。この画面では１点目及び２点目を同時に設定できる。そして設定エリアが表示され、『ＯＫキー』を入力することにより図８６の最下段の設定画面となり、指定領域が表示されると共に、指定エリアの各種画像処理選択、及び引き続いて次のエリアであるエリア２の選択キー画表示される。ここで、エリア２の指定を行わない場合には、指定エリア１に対する所望の画像処理キーを選択入力し、それぞれの画像処理に対応する設定画面に移行する。
【０１００】
一方、次のエリア２の領域設定を行う場合には『エリア２キー』を入力することにより、図８７の最上段のアリア２設定画面に移行する。そして、図８７に示す様にエリア２の設定を行う。なお、先に指定したエリア入力を無効としてやり直す時には『エリアクリアキー』を入力することにより、図８５の第３段の画面に戻る。また、図８６のいずれかの設定画面で『Ｃキー』を入力した場合には図８５の第２段の画面に戻る。
【０１０１】
一方、図８５の第３段の設定画面でペン入力によりエリア指定を行う場合には、エリア１の１点目を例えば図８５の第３段の設定画面に示す様にペンで入力する。ここで１点目を入力すると図８６の最上段の画面に移行し、ここで２点目を入力し、第２段の画面とする。ここで、入力結果を確認して入力でよければ『ＯＫキー』を入力する。これにより、図８６の最下段の指定したエリア１の画像処理の選択画面に移行する。
【０１０２】
一方、ペン入力結果の表示を見てやり直す場合には『ポイントクリアキー』を入力することにより、直前に入力したペン入力が無効となり、この入力直前の画面となる。これは以後の画面でも同様である。
【０１０３】
図８６最下段で次のエリア２の入力を選択し、『エリア２キー』を入力した場合には上述した図８７に示す様に次のペン入力が可能となり、上述同様にしてエリア２をペン入力する。なお、ここではテンキー入力については記して無いが、図８７最上段の画面で『テンキー入力キー』を表示して上述同様のテンキーによるエリア２指定可能としてもよい。
【０１０４】
このようにしてエリア２領域設定が終了すると図８７の最下段の設定画面となる。ここでは、更に次のエリア３の入力画可能となり、『エリア３キー』を入力することにより、図８８の最下段の画面となり、続いて図８９に示す様に図８７の場合と同様にして上述同様にしてエリア３の領域指定を行う。以下同様の処理でエリア４の設定も可能である。以下同様の処理で必要なエリア指定を行う。なお、各操作は上述同様であるため、以下の説明を省略する。
【０１０５】
図８７又は図８９の最下段の設定画面において、先に設定した領域の画像処理を選択する場合には、設定するエリアキーを入力する。例えば、エリア１を設定する場合には『エリア１キー』を入力する。これにより図８８の最上段の設定画面となり、エリアの画像処理を選択できる。同様にエリア２であれば『エリア２キー』を入力して図８８の第２段の設定画面としてエリア２の画像処理等以下順次指定エリアの画像処理を選択して各画像処理に対応した各設定画面になり、所望の画像処理を設定する。
【０１０６】
以上の画像処理の各設定画面より所望の画像処理設定が終了すると、各場合に対応した設定画面に戻る。即ち、図８６より画像処理の設定を行った場合には図９０の、図８７よりの場合には図９２の、図８９よりの場合には図９３の、各画面で今設定した画像処理に対する「イメージクリエイト」、「パターン処理」、「色消去」の各設定画面となる。そしてこれらの詳細設定が可能となる。そしてこれらの詳細設定が終了すると再び元の設定画面に復帰する。
【０１０７】
ここで、当該エリアへの画像処理設定が終了した場合、他のエリアに対する画像処理を行う場合には当該エリアに対応する『エリアキー』を入力してエリア設定を含む各操作を行う。そして設定が終了すると『ＯＫキー』を入力することにより、図９１に示す終了画面に移行する。
【０１０８】
図９４〜図９７は、トリミング、マスキングモードを設定する操作における操作部の操作画面の表示フローである。このモードにより、指定したエリアだけをコピーする（トリミング）、指定したエリア外をコピーする（マスキング）ことをを指定することができる。
【０１０９】
図９４の最上段の設定画面で『トリミングキー』を入力すると第２段の設定画面に移行し、トリミングを行う領域指定を行う。これは上述した部分処理の場合の領域指定と同様にして、図９４〜図９７に示す様にして行う。この場合には、入力がＯＫであれば『ＯＫキー』を入力することにより次に入力画面に移行する。そして領域指定が終了すると図９７の最下段の終了画面に移行する。
【０１１０】
図９８、図９９は、イメージクリエイトモードを設定する操作における操作部の操作画面の表示フローである。このモードにより、輪郭、網、影、ネガポジ反転、斜体、鏡像、イメージリピート処理を選択することができる。図９８は初期画面であり、ここで『イメージクリエイトキー』を入力することにより図９９に示すイメージクリエイト種類設定画面に移行する。この図９９に示す設定画面により、後述する各イメージクリエイト種類をさせることにより各対応処理画面に移行する。
【０１１１】
図１００は、図９９の設定画面より『輪郭キー』を入力した場合における、輪郭処理を設定する操作における操作部の操作画面の表示フローである。この処理により、輪郭の太さを設定することができる。ここで輪郭処理を中止する場合には『Ｃキー』を入力し、図９９の画面に戻す。一方、輪郭を入力する場合には図１００の上段で輪郭の太さを設定する。設定がＯＫであれば『ＯＫキー』を入力し下段の表示とする。
【０１１２】
ここで、次のイメージクリエイトの種類の指定を行う場合には次のイメージクリエイトの種類の指定を行なう。一方、ここで処理を終了する場合には『ＯＫキー』を入力し、終了画面に移行する。
【０１１３】
図１０１、図１０２は、図９９の設定画面より『網キー』を入力した場合における、網処理を設定する操作における操作部の操作画面の表示フローである。この処理により、網じき、網のせを選択し、網パターンを指定することができる。図９９の設定画面より『網キー』を入力すると、図１０１の設定画面に移行する。そして、網の種類の設定を行う。なお、ここで『Ｃキー』を入力すれば図９９の画面に戻る。
【０１１４】
『網のせキー』を入力すると図１０２の上段右の設定画面、『網じきキー』を入力した場合には図１０２の上段左の設定画面に移行する。それぞれの網の種類を確認し、設定がＯＫであれば『ＯＫキー』を入力し、それぞれの画面より図１０２下段右の設定画面に移行し、網のパターン選択を行う。この選択は所望のパターン下の『No. ｎキー』を入力して行う。ここで、設定が終了した場合には『ＯＫキー』を入力する。これにより、図９９に示す設定画面となり、ここで、次のイメージクリエイトの種類の指定を行う場合には次のイメージクリエイトの種類の指定を行なう。一方、ここで処理を終了する場合には『ＯＫキー』を入力し、終了画面に移行する。
【０１１５】
図１０３は、図９９の設定画面より『影キー』を入力した場合における、影処理を設定する操作における操作部の操作画面の表示フローである。この処理により、影付け、影のみに対して立体影、平影を指定することができる。上段の画面で影の種類を設定する。例えば「平影」であれば下段の表示に移行する。設定ＯＫであれば『ＯＫキー』を入力する。これにより図９９に示す画面に戻る。一方、影処理を中止する場合には『Ｃキー』を入力することにより図９９の画面に戻る。
【０１１６】
図１０４は、図９９の設定画面より『ネガポジ反転キー』を入力した場合における、ネガポジ反転処理を設定する操作における操作部の操作画面の表示フローである。この処理により原稿の白黒を反転してコピーする機能を指定することができる。図１０４の画面で設定ＯＫであれば『ＯＫキー』を入力することにより図９９の画面に戻す。
【０１１７】
図１０５は、図９９の設定画面より『斜体キー』を入力した場合における、斜体モードを設定する操作における操作部の操作画面の表示フローである。この処理により斜体角度を設定することができる。図１０５の画面で設定ＯＫであれば『ＯＫキー』を入力することにより図９９の画面に戻す。
【０１１８】
図１０６、図１０７は、図９９の設定画面より『鏡像キー』を入力した場合における、鏡像モードを設定する操作における操作部の操作画面の表示フローである。この処理により、原稿の裏返し処理を、縦反転、上折り返し、下折り返しの中から選択することができる。図９９の設定画面より『鏡像キー』を入力した場合には図１０６の設定画面に移行し、各鏡像の種類を選択する。「縦反転」の場合には『縦反転キー』を入力して図１０７の第１段目の表示とし、「上折返し」の場合には『上折返しキー』を入力して図１０７の中段の表示、「下折返し」の場合には『下折返しキー』を入力して図１０７の下段の表示とする。各設定でよければ『ＯＫキー』を入力して図９９に示す画面に移行する。この場合には『鏡像キー』部分が例えば黒抜き表示等になり、鏡像モードが実行されたことが判別可能にされる。
【０１１９】
図１０８は、図９９の設定画面より『イメージリピートキー』を入力した場合における、イメージリピート処理を設定する操作における操作部の操作画面の表示フローである。この処理により、繰り返しコピーの回数を指定することができる。図１０８上段の画面でイメージリピートの回数を設定する。ここでは、「オート」も可能であり、『＋キー』でインクリメント、『−キー』でデクリメントされる。
【０１２０】
各設定でよければ『ＯＫキー』を入力して図９９に示す画面に移行する。この場合には『イメージリピートキー』部分が例えば黒抜き表示等になり、イメージリピートモードが実行されたことが判別可能にされる。
【０１２１】
図１０９は、シャープネスを設定する操作における操作部の操作画面の表示フローである。この操作によりコピー画像のソフト／ハードの度合いを指定することができる。上段の画面で『シャープネスキー』を入力すると中段の画面に移行する。ここで所望のシャープネスの設定を行い、設定ＯＫであれば『ＯＫキー』を入力して下段の終了表示とする。
【０１２２】
図１１０は、ＸＹ独立ズームモードを設定する操作における操作部の操作画面の表示フローである。これにより、縦方向と、横方向をそれぞれ異なる倍率を設定することができ、縦方向と、横方向を異なる倍率で拡大／縮小を自動的に行なうモードを設定することができる。上段左の画面で『ＸＹ独立ズームキー』を入力すると上段右の画面に移行し、ＸＹ独立に倍率を設定する。なお、ここで『ＸＹ独立オートキー』を入力すると右下段の表示に移行し、『＋キー』又は『−キー』を入力することにより右上段の表示となる。右側の設定でＯＫの時には『ＯＫキー』を入力することにより設定が終了し、下段左の終了画面となる。
【０１２３】
図１１１は、ズームプログラムを設定する操作における操作部の操作画面の表示フローである。これにより、原稿の縦／横サイズと、希望するコピーの縦／横サイズを入力することができ、変倍率を自動的に計算して設定できる。
【０１２４】
上段の表示で『ズームプログラムキー』を入力すると中段の表示となり、『ＸＹ独立キー』を入力すると下段の表示となる。下段の表示で『ＸＹ同率キー』を入力すると中段表示となる。設定が終了した場合には『ＯＫキー』を入力する。これにより再び上段の表示となる。なお、この場合には、『ＯＫキー』で標準画面に戻るが、以上の例と相違して、『ズームプログラムキー』の表示は反転しない。
【０１２５】
図１１２、図１１３は、拡大連写を設定する操作における操作部の操作画面の表示フローである。この処理により、拡大連写とは最大用紙サイズ（Ａ３）より大きいコピーを自動的に複数枚の用紙にコピーする機能で、倍率で指定するか、枚数で指定するかを選択することができる。
【０１２６】
例えば図１１１の上段の標準画面で『拡大連写キー』を入力すると、図１１２の上段の設定画面に移行する。ここでは、枚数又は％を指定することができる。そして、枚数で指定すれば倍率を、％で指定すれば枚数を自動的に計算する。そして、『枚数で指定キー』を入力した場合には中段の表示に移行し、用紙サイズと枚数の指定が可能となる。標準では中段に示す「Ａ４サイズ」であるが、他の用紙を選択したい時には『用紙選択キー』を入力することにより下段の表示に移行し、所望の用紙サイズを選択可能である。中段、又は下段の設定画面で所定の設定を行い、設定がＯＫの時には『ＯＫキー』を入力し、図１１３の下段に示す終了画面に移行する。
【０１２７】
一方、図１１２上段で『％で指定キー』を入力した場合には図１１３の上段に示す画面に移行する。ここで『ＸＹ独立キー』を入力すると中段の表示となる。中段の表示で『ＸＹ同率キー』を入力すると上段表示となる。設定が終了した場合には『ＯＫキー』を入力する。これにより図１１３の最下段の表示となる。
【０１２８】
図１１４は、モードメモリの登録を設定する操作における操作部の操作画面の表示フローである。この処理により、コピーモードの組み合わせを３つまで登録することができる。例えば、図１１１の上段の標準画面で『モードメモリの登録キー』を入力すると、上段の設定画面に移行する。ここで登録する場所を選択して対応するキーを入力し、例えば下段の表示とする。そしてこの設定でよい場合には『ＯＫキー』を入力して終了画面に移行する。
【０１２９】
図１１５、図１１６は、標準モードの変更を設定する操作における操作部の操作画面の表示フローである。この処理により、リセットを押したときに設定される標準モードを任意に変更したり、初期化したりする機能を選択することができる。
【０１３０】
例えば、図１１１の上段の標準画面で『標準モード変更登録キー』を入力すると、図１１５最上段の設定画面に移行する。ここで登録するか、初期化するかを選択する。『標準モードの登録キー』を入力すると第２段の確認画面に移行し、『ＯＫキー』を入力すると第３段の表示となる。ここで、『登録するキー』を入力すれば第３段の確認表示に、『登録しないキー』を入力した場合には最下段の確認表示となる。そしてこの設定でよい場合には『ＯＫキー』を入力して終了画面に移行する。
【０１３１】
『標準モードの初期化キー』を入力すると図１１６の上段の確認画面に移行し、『ＯＫキー』を入力すると中段の表示となる。ここで、『初期化するキー』を入力すれば中段の確認表示に、『初期化しないキー』を入力した場合には下段の確認表示となる。そしてこの設定でよい場合には『ＯＫキー』を入力して終了画面に移行する。
【０１３２】
図１１７〜図１１９は、プロジェクタモータを設定する操作における操作部の操作画面の表示フローである。この操作によりプロジェクタを装着したとき、３５ミリネガ／ポジフィルムや、４×５ネガ／ポジフィルムからコピーがとれる機能を設定することができる。この場合には、図１１７の上段の設定画面で『オプションキー』を入力することにより、中段のオプション設定画面に移行する。ここで、『プロジェクターキー』を入力すると、下段の画面となる。なお、この画面で、『スキップキー』が表示されるのは、前回の設定がメモリに記憶されている場合のみである。下段の設定画面でコピーするフイルムの種類を選択する。そして、『35mmネガ』の時には図１１８の第１段目の確認画面に、『35mmポジ』の時には図１１８の第２段目の確認画面に、『4×5 ネガ』の時には図１１８の第３段目の確認画面に、『4×5 ポジ』の時には図１１８の第４段目の確認画面にそれぞれ移行する。そして各設定がよければ『ＯＫキー』を入力する。これにより図１１８の第５段目の設定画面となり、調整位置を入力し、ＯＫであれば『ＯＫキー』を入力する。
【０１３３】
すると最下段の画面となり、プロジェクターの調光ダイヤルで光量を調整位置に合わせることにより調整動作を実行する。そして、図１１９に示す確認画面となる。この確認画面は、『35mmネガ』の時には図１１９の第１段目の確認画面に、『35mmポジ』の時には図１１９の第２段目の確認画面に、『4×5 ネガ』の時には図１１９の第３段目の確認画面に、『4×5 ポジ』の時には図１１９の第４段目の確認画面となる。以上の設定でよければ『ＯＫキー』を入力することによりそれぞれの設定を終了して各処理に従った設定画面に移行する。
【０１３４】
図１２０、図１２１は、プロジェクタレイアウトモードを設定する操作における操作部の操作画面の表示フローである。これにより、プロジェクタ、イメージメモリを装着したとき、レイアウトの枚数を指定することができる。
【０１３５】
図１２０の第１段の確認画面（例えば上述した図１１９の第１段目の確認画面）で『ＯＫキー』を入力すると第２段の画面に移行し、レイアウトの選択が可能となる。ここで、『１枚』を選択して『ＯＫキー』を入力した場合には通常標準画面に移行する。しかし、『１枚』〜『１６枚』を選択して『ＯＫキー』を入力した場合には下段の画面に移行する。そして用紙サイズの設定を行う。そしてここで『ＯＫキー』を入力した場合には図１２１の第１段の表示となる。
【０１３６】
ここで、『読込キー』を入力することにより１枚目の読み込みが下賜され、第２台目の表糸なり、読み込みが終了すると第３段目の表示となる。ここで再度『読込キー』を入力すれば２枚目の読み込みが開始される。以下、必要枚数の読み込みを行う。そしてメモリ容量が一杯となると最下段の表示となり、『メモリクリアキー』を入力すれば第１段目の表示に戻れる。必要な読み込みが終了すると『スタートキー』を入力してフイルムへの出力を指示する。
【０１３７】
図１２２〜図１２５は、メモリ合成モードを設定する操作における操作部の操作画面の表示フロー、及びすかし合成の濃度と、メモリ合成が設定された後、合成のための画像を読み込むまでの操作における操作部の操作画面の表示フローである。このモードの実行により全面合成、エリア合成、すかし合成を選択することができ、エリア合成に対しては、はめこみか多重を選択することができ、また読込キーを入力することにより、合成される画像を読み込ますことができる。
【０１３８】
図１２２の第１段目の設定画面で『オプションメモリキー』を入力すると第２段目の画面に移行する。そして、『メモリ合成キー』又は『メモリ網のせキー』が入力可能となる。ここで、『メモリ合成キー』を入力して『ＯＫキー』を入力すると第３段目の画面に移行し、合成のモードの設定画面となる。
【０１３９】
ここで、『全面合成キー』で全面合成を選択して『ＯＫキー』を入力した場合には図１２３の上段の用紙設定画面に移行する。ここで用紙を選択して『ＯＫキー』を入力した場合には中段の設定画面に移行し、背景となる原稿をセツトしてから『読込キー』を入力し、読み込みを行わせる。そしてメモリ合成が行われると下段の表示に移行する。
【０１４０】
一方、図１２２の第３段で『エリア合成キー』を入力した場合には図１２４の第１段の表示に移行し、以下第２段に示す様に合成先エリアをペン入力する。１点目及び２点目の入力が終了すると最下段の表示に移行する。なお、第１段で『テンキー入力キー』が入力されると第３段の表示に移行し、テンキーよりのエリア入力を行う。
【０１４１】
以上のいずれかの方法でエリア入力が終了すると図１２４の最下段の表示に移行する。そして、ここで、「はめ込み」をするのか、「多重」をするのかの設定を行う。設定が終了すれば『ＯＫキー』の入力により図１２３の第１段の表示に移行する。以下、上述の手順で原稿読み込みを行い、メモリ合成が行われる。
【０１４２】
なお、図１２４の最下段で『出力モードキー』を入力した場合には、図１２２の最下段の表示に移行し、出力モードの選択となる。この設定が終了するか、あるいは取消を入力するかで再び図１２４の最下段に移行する。
【０１４３】
また、図１２２の第３段の表示で『すかし合成キー』が選択され、『ＯＫキー』が入力された場合には図１２５に進み、すかしの濃度設定を行う。そして設定が終了して『ＯＫキー』を入力すると図１２３の第１段に移行する。
【０１４４】
図１２６、図１２７は、メモリ網のせモードを設定する操作における操作部の操作画面の表示フローである。この操作により全面を網のせするかエリアで指定された範囲を網のせするかを選択することができる。
【０１４５】
図１２２の第２段の設定画面で『メモリ網のせキー』を入力すると図１２６の上段の画面に移行する。ここで、メモリ網のせ処理を行う場合には『ＯＫキー』を入力する。これにより下段のメモリ網のせのモード設定画面に移行する。ここで、『全面キー』を入力すると図１２７の最下段の用紙設定画面に、『エリアキー』を入力した場合には図１２７の第１段の網のせエリア設定画面に移行する。第１段〜第３段で上述同様のエリア設定を行う。そしてエリア設定が終了すると最下段の用紙設定画面に移行する。
【０１４６】
用紙設定画面では、出力用紙を選択する。そしてこれがＯＫであれば『ＯＫキー』を入力し、図１２３の第１段以下の用紙出力制御に移行する。
【０１４７】
次に、図４のステップＳ４０３でファクシミリ送信モードが選択された場合の処理を説明する。図６は、ファクシミリ送信モードが選択された場合のフローチャートである。
【０１４８】
まず、ステップＳ６０１において、ファクシミリ送信の初期化設定が行われる。続いてステップＳ６０２で、操作パネルより入力されるキー３０１・３０２を読み込み、ファクシミリ送信条件を設定する。そして続くステップＳ６０３でスタートキー３０３の入力を待つ。このとき、宛先が押されると、画像処理以外のキーは全て、網かけされ、押しても反応しなくなる。これは、宛先を入力したモードの変更をさせないためである。ただし、画像処理だけは、原稿ごとに処理を施すことができるので、キーが押せるようになっている。本実施例においては、このように、選択できないキーは網かけをして入力ができないようにし、誤操作を防いでいる。
【０１４９】
スタートキーが押されるとステップＳ６０３よりステップＳ６０４に進み、、リーダ部１より原稿を読み取り、画像データをファクシミリ部４に送る。ファクシミリ部４はステップＳ６０５で、設定された様式と決められたプロトコルに従ってファクシミリ送信を行う。送信終了後、初期設定に戻る。
【０１５０】
図１２８〜図１３０に、発信人名称を指定する操作フローを示す。
【０１５１】
図１２８の右に示すのがファックスモードの初期画面である。まず、『登録管理キー』を押すことで登録管理モードを指定し、左の画面に移行する。この画面で次に、『ユーザデータキー』を押すことで、ユーザデータを設定する画面を開き、図１２９の上段の設定画面とする。
【０１５２】
そこで、『発信人名称キー』を押すと、中段の発信人名称を登録する画面が開かれる。発信人名称が登録されていると、登録されているデータが表示され、現在選択されている番号のデータが反転して表示される。例えば、３番に登録したい場合、上下キーを押して３番を指定するか、テンキーで番号を入力するかで、番号を確定する。このあと、登録キーを押すと下段の設定画面に移行し、データを入力する画面が開かれる。このため、この画面でデータを入力し、『ＯＫキー』を押すことで３番に発信人名称が登録される。
【０１５３】
また、中段の表示画面で同様な方法で、消去キーを押すと、図１３０の上段の確認画面に移行する。ここで、『ＯＫキー』を入力することにより、反転している番号のデータは消去され、下段の表示画面となる。なお、上段の画面で『取消キー』が押された場合には図１２９の中段に、下段の画面で『取消キー』が押された場合には図１２９の上段の画面に移行する。
【０１５４】
ファックスモードの設定の操作フローを以下に記す。
【０１５５】
図１３１及び図１３２は、ＤＨ装着時におけるメモリ送信操作フローである。ＤＨ、ＡＤＦに原稿をセットしたときに、約２秒間図１３２の最下段の表示を行い、メモリの残量を表示する。その後図１３１の第１段目の設定画面となり、第２段目の如くに先ず１件目の宛先電話番号を入力する。なお、宛先無しで『スタートキー』を入力した場合には図１３２の第１段の表示に移行し、宛先入力を促す表示となる。
【０１５６】
図１３１の第２段の画面での１件目の宛先設定に続いて２件目の宛先を入力する場合には『次宛先キー』を入力する。これにより図１３２の第２段目の設定画面に移行し、２件目の宛先電話番号を設定する。このようにして宛先入力後、『スタートキー』を入力すると（または、オートスタートにより）、図１３２の第２段より第３段の表示に移行し、原稿の読み込みを開始する。そして原稿をメモリに順次蓄積する。また、原稿の読み込みを開始した時に受け付け番号を３秒間表示される。そしてメモリへの蓄積終了後第４段の表示に移行し、相手先に送信される。
【０１５７】
図１３３、図１３４は、ＤＨ非装着時、またはＤＨ装着時でもＤＨをしない場合のメモリ送信操作フローである。この場合には、図１３３の上段の設定画面となり、相手先の電話番号を入力する。その後、『スタートキー』入力を行うと、圧板からの読み込みであることを判断して図１３４の画面に移行する。この際に原稿サイズを判断し、原稿サイズの検知ができないサイズの場合は、読み取りサイズの設定画面に移行し、ユーザに選択させる。ただし、ダイレクト送信はこの限りではなく、自動的にＡ４サイズに設定される。そして、『読み込み終了キー』を表示するとともに、約２秒間メモリの残量を表示する。
【０１５８】
２秒経過後図１３３の下段の設定画面となる。その後１ページ分の読み込みを行う。読み込み終了後、原稿を変え、『スタートキー』入力で読み込みを開始する。全ての原稿の読み込みが終了したときに、『読み込み終了キー』を入力することで読み込みを完了する。その後は相手先への送信処理に移行することになる。
【０１５９】
また、各原稿毎に、解像度、画質、読取サイズ、読み込み濃度の変更が可能であり、各キーを操作することにより各ページ毎に変更が可能である。また、スタートキー入力後はその都度、メモリ残量を２秒表示する。
【０１６０】
図１３５、図１３６は、テンキー入力時の送信操作フローである。図１３５の上段の設定画面において、テンキーで電話番号を入力する。この状態を下段に示す。電話番号の入力後、同報送信を開始する時には、次宛先キーを入力する（『次宛先キー』は、テンキー１桁目が入力されたことが検知されたときに、表示が追加される）。『次宛先キー』を入力すると図１３６の上段の設定画面に移行する。そして、テンキーで電話番号を入力する。この状態を下段に示す。
【０１６１】
電話番号の入力後、更に次の宛先もテンキーで入力する時には、『次宛先キー』を入力する必要がある。『次宛先キー』を入力すると、今度は３件目であるため、以下設定を続ける毎に、図１３６の下段の設定画面に移行し、約２秒間設定されている件数を表示する。２秒経過後に上段の表示となる。
【０１６２】
この後、『スタートキー』入力で、原稿の読み込みを開始する。
【０１６３】
図１３７は、ワンタッチダイヤルにおける送信操作フローである。この処理により、登録済のワンタッチダイヤルを入力すると、下段の設定画面に移行し、電話番号、相手先略称を表示し、ＤＨに原稿がセットされている場合には一定時間経過後自動的に、ＤＨに原稿がセットされている場合には、ＤＨから、ＤＨに原稿がセットされていない時には、圧板から原稿を読み込む。
【０１６４】
図１３８は、短縮ダイヤルにおける送信操作フローである。第１段の設定画面で短縮ダイヤルを入力すると、第２段の表示画面に移行する。そして、『テンキー』により短縮番号を順次入力する。第１１桁目が入力された状態が第３段目であり、２桁全てが入力された状態が最下段である。最下段では、電話番号、相手先略称を表示し、ＤＨに原稿がセットされている場合には一定時間経過後自動的に、ＨＤに原稿がセットされている場合にはＨＤから、ＤＨに原稿がセットされていない時には圧板からそれぞれ原稿を読み込む。
【０１６５】
図１３９、図１４０は、電話帳による送信の操作フローである。図１３９の第１段目の画面で『電話帳キー』を入力すると第２段目〜第４段目の電話帳選択画面を表示する。そこで、“あ”〜“ん”の５０音を選択する。５０音のいずれかを選択、例えば「た」を選択すると図１４０の中段及び下段に示す様にそこで選択された文字に登録されている短縮ダイヤルとそれに対応する電話帳データが表示される。
【０１６６】
このため、送信する短縮ダイヤルを選択し『ＯＫキー』を入力することにより、上段の表示に移行し、オートスタートが開始される。またこの画面では、キーが複数あり同報送信をおこなう場合には一度に送信相手先を選択することで、相手先をしてできる。
【０１６７】
図１４１、図１４２は、解像度の変更の操作フローである。図１４１の最上段の設定画面で『解像度キー』を入力すると２段目の設定画面となり、最上段の場合の設定である解像度として「標準」が表示されると供にカーソルが表示される。ここで、指を離して２秒経過すると、この設定値でＯＫとみなされる。これはこの操作では以下同様である。２段目の設定画面で『解像度キー』を入力すると２段目の設定画面となり、解像度としての「ファイン」位置にカーソルが表示され、仮選択される。ここで指を離すと図１４２の第３段に示す画面に移行し、先の解像度である「ファイン」が設定される。
【０１６８】
３段目の設定画面で『解像度キー』を入力すると４段目の設定画面となり、解像度として「スーパーファイン」が表示されると供にカーソルが表示される。ここで指を離すと図１４２の第４段に示す画面に移行し、先の解像度である「スーパーファイン」が設定される。４段目の設定画面で『解像度キー』を入力すると図１４２の最上段の設定画面となり、解像度として「ウルトラファイン」位置にカーソルが表示される。ここで指を離すと図１４２の第２段に示す画面に移行し、先の解像度である「ウルトラファイン」が設定された表示となる。
【０１６９】
なお、図１４１の第４段目の設定画面で『解像度キー』を入力すると２段目の設定画面となり、解像度として「標準」が選択され、以下順次ローテートする。以上のる。ここで指を離すと図１４２の第３段に示す画面に移行し、先の解像度である「ファイン」が設定された表示となる。このように、解像度を選択し一位時間経過すると、カーソルで指定した解像度が確定され、全解像度の表示が消え確定した解像度が表示される。選択できる解像度は、標準、ファイン、スーパーファイン、ウルトラファインの４種類である。
【０１７０】
図１４３、図１４４は、画質の変更の操作フローである。操作手順、表示方法は、図１４１、図１４２に示した解像度と同様である。選択できる画質は、文字、ＡＡ、ハーフトーンである。即ち、図１４３の最上段の画面で『画質キー』を入力することにより第２段の表示に移行し、以後順次第３段、第４段、第２段の表示を『画質キー』入力毎にローテートする。そして指を離して一定時間、例えば約２秒間経過すると図１４４の画面に移行する。即ち、図１４３の第３段からは図１４４の上段に、図１４３の第４段からは図１４４の下段に移行する。
【０１７１】
図１４５、図１４６は、略称切り替えの操作フローである。略称とは、発信人名称の略称であり、図１４５の上段の設定画面で『略称切替キー』を入力すると図１４６に示す略称切り替えの操作に移行する。ここで『取消キー』を入力すれば図１４５の上段の画面に戻り、ユーザ略称となる。略称の選択画面で『上下キー』または、『テンキー』入力で発信人名称を設定する。そして『ＯＫキー』を入力すると図１４５の下段の表示に移行し、略称切替反転表示され、略称切替が行われていることを表示する。なお、「００」はユーザー略称であり、「０１」以下が発信人名称である。このため、図１４６の上段の画面の如くに「００」が選択されると図１４５の上段の画面に戻り、発信人名称は反転しない。
【０１７２】
図１４７は、読取サイズの操作フローである。上段の設定画面で『読み取りサイズキー』を入力して第２段、第３段の表示にして、『上下キー』で読取サイズを設定する。
【０１７３】
図１４８、図１４９は、タイマ送信の設定フローである。タイマ送信とは、あらかじめ指定した時間に通信を行うことで、ここで『上下キー』を入力することで、時間の設定を行う。即ち、図１４８の上段の設定画面で『タイマーキー』を入力すると図１４９の画面に移行し、『上下キー』を用いて時刻設定を行う。『取消キー』を入力すると、図１４９のいずれの画面の場合も図１４８の上段の画面に戻る。タイマー設定が終了した場合には『ＯＫキー』を入力すると図１４８の下段の表示に移行し、『タイマー』が反転表示され、タイマー送信が設定されていることを示している。
【０１７４】
図１５０、図１５１は、ポーリングの操作フローである。ポーリングには、ポーリング受信と、ポーリング待機がある。ポーリング受信とは、相手機のメモリにセットされている原稿を受け取ることである。またポーリング待機とは、相手機の操作で原稿を送るために原稿をセットするものである。ポーリングを行なうためには、相手機が、ポーリング機能を持つ機械であり、ポーリングを行う為のパスワード（ポーリングＩ／Ｄ）が一致することが必要になる。ポーリング（Ｉ／Ｄ）を一致させた後、ポーリング受信の設定を行うためには、以下の操作を行う。
【０１７５】
先ず図１５０の最上段の設定画面で『ポーリングキー』を入力して第２段の画面にしてポーリング受信を設定して『ＯＫキー』を入力し、第３段の画面として相手先電話番号を入力する。その後『スタートキー』を入力する。
【０１７６】
一方、ポーリング待機を行う為には、第２段の画面からポーリング待機を選択して図１５１の最上段の画面とする。なお、ここで再びポーリング受信を設定すれば図１５０の第２段に戻る。図１５１の最上段で『ＯＫキー』を入力すると第２段の画面に移行し、原稿をセットし、『スタートキー』を入力する。すると所定時間、例えば第３段の表示を行い、メモリ残量を表示する。そしてその後最下段の表示に移行し、原稿読み込みを行い順次メモリに蓄積する。そして読み込みが終了すると図１５０の最下段の表示に移行し、ポーリングを反転表示してポーリング待機がなされていることを表示する。
【０１７７】
図１５２は、中継指示の操作フローである。中継指示とは、遠くの相手数カ所に原稿を送る場合、直接それぞれの宛先に送信せずに、中継機を使って原稿を送ることをいう。
【０１７８】
中継指示を行うためには、図１５２の上段の設定画面で『中継指示』を選択して中段の表示に変え、中継機が登録されている中継グループ番号を選択する。その後『ＯＫキー』を入力して下段の設定画面で中継機の宛先を指定し、『スタートキー』を入力する。
【０１７９】
図１５３〜図１５６は、親展送信、親展出力の操作フローである。親展送信とは、受信側があらかじめ親展ボックスと２桁の番号で設定する。そこに送信側が、親展ボックスを指定して原稿を送信する。親展出力とは、親展受信した文章をパスワードを入力して、プリントすることである。
【０１８０】
親展送信を行うためには、図１５３の上段の設定画面で『親展』を選択し、続く下段で『親展送信』を選択し『ＯＫキー』を入力する。すると図１５４の下段の表示に移行する。なお、ここで『取消キー』を入力すると図１５３の下段の表示に戻る。そうで無い場合には親展ボックス番号を『テンキー』で入力し『ＯＫキー』を入力する。これにより図１５４の上段の設定画面に移行し、続いて電話番号を入力し、送信する。
【０１８１】
親展文書出力の場合には、図１５３の下段の表示で受信文書出力を選択し、図１５５の最上段の表示とする。なお、ここで再度『親展送信』を選択し、又は『取消キー』を入力すれば図１５３の下段の表示に戻る。親展出力する場合には、『ＯＫキー』を入力して第２段の表示として出力するボックス番号を『テンキー』より入力する（図１５５第３段の表示）。ここで、入力されたボックス番号が未登録であった場合には図１５６の最下段の表示に移行し、所定時間、例えば約２秒間この表示を行う。そしてその後図１５５の第３段の表示に戻り、正しいボックス番号の入力を促す。なお、ここで『取消キー』を入力した場合には図１５５の最上段の表示に戻る。
【０１８２】
一方、正しいボックス番号が入力された時には第４段の設定画面に移行し、パスワードを入力し、図１５６の最上段の表示とする。そしてパスワード入力後『ＯＫキー』を入力する。ここで、正しいパスワードが入力されていない場合には第３段の表示に移行し、正しいパスワードの入力を促す。正しいパスワードを入力した場合には受信文書を出力し、第２段の表示に移行する。そして、受信文書の出力終了後図１５５の第２段の表示に戻る。ここで、これ以上の親展出力を行わない場合には『取消キー』を入力し、図１５５の最上段の表示に戻し、更に『取消キー』を入力して図１５３の上段の表示に戻す。
【０１８３】
図１５７は、送信における画像処理であり、これらは、後述したコピー操作における画像処理と同様である。
【０１８４】
図１５８〜図１６０は、送信における読取モードの設定フローである。読取モードには、ページ連写（右開き、左開き）、両面連写、２in１がある。ページ連写とは、圧板読み込みにおいて、原稿の右半分と、左半分を２枚の原稿として読み込む方法である。右半分から読み込むか、左半分から読み込みかにより右開き、左開きがある。両面連写とは、原稿給送装置（ＤＨ）による読み込みで、両面原稿の表面、裏面を１ページずつ読み込む方法である。２in１読み込みとは、原稿台上に２枚の原稿を並べて給送し、２枚の原稿を１枚の原稿として読み込む方法である。
【０１８５】
図１５８の上段の設定画面で『読み取りモード』を選択すると、図１５９の設定画面に移行する。ここで、『ページ連写』を選択すると図１５９の最上段に、『両面連写』を選択すると第３段に、『２ｉｎ１』を選択すると最下段に示すそれぞれの設定画面に移行する。『ページ連写』の場合には、右半分から読み込むか、左半分から読み込みかにより右開き、左開きがあるため、最上段と第２段の表示画面に示す如くいずれかを選択する。図１５９のいずれかの画面の如くに各処理モードの選択が終了すると『ＯＫキー』を入力して、図１５８の中段に示す設定画面にする。なお、図１５９のいすれかの画面で『取消キー』を入力すると図１５８の上段の表示に戻る。
【０１８６】
また、「２in１」読み込みにおいては、原稿枚数が奇数枚か偶数枚かにより、読み込み方が異なるので、図１５９の最下段の設定画面で『カウントキー』を入力し、図１５８の下段の画面とする。ここでオートカウントを指定することによりカウント動作をするか、偶数枚、奇数枚を指定する。ここでオートカウントを指定する時にはこの図の状態で『ＯＫキー』を入力して中段の表示とする。
【０１８７】
偶数枚、奇数枚を指定する場合には、『＋キー』や『−キー』を入力して、例えば図１６０の上段の表示の如く所望の枚数を設定する。枚数の設定が終了すると『ＯＫキー』を入力して下段の設定画面に移行する。これは、２in１を行うためには、原稿サイズが必要なためであり、ここでそれも指定する。これを設定することにより、読取モードを設定することができる。そして『ＯＫキー』を入力することにより、図１５８の中段の設定画面に移行する。なお、この「２ｉｎ１」処理で『取消キー』を入力すると図１５９の最下段の画面に戻る。
【０１８８】
図１６１は、試し撮りの操作フローである。試し撮りは、設定されているモードで送信される原稿を読み取り、それをプリントする動作である。図１６２は、モニタの操作フローである。
【０１８９】
図１６２の上段の設定画面で『モニタキー』の入力を行うと、下段に示す様に送受信状況が表示される。この送受信の状況は、リアルタイムで表示される。また、モニタで送信状態の時に『ストップキー』を入力すると、送信を止めることができる。
【０１９０】
図１６３、図１６４は、通信管理レポートの操作フローである。通信管理レポートとは、送信、受信の通信結果を確認するためのレポートである。図１６３の画面で『通信結果レポート』を入力することで図１６４の画面に移行し、通信結果レポートを表示することができる。
【０１９１】
図１６５〜図１６８は、メモリ照会の操作フローである。メモリ照会では、メモリの中にある送信文書、受信文書を確認できる。また送信文書に関しては、再送信、消去、プリント、宛先開始時刻、発信人名称の変更ができる。宛先の変更は通過、削除、修正ができる。受信文書は、リストプリントを行うことができる。
【０１９２】
図１６５の最上段で『メモリ照会キー』を入力すると第２段の設定画面に移行し、表示するリストの選択を行う。ここで、『送信文書リスト』を選択すると第３段の画面に移行する。ここで所望の文書を選択して『プリントキー』を入力すると最下段の表示に移行し、選択された送信文書をプリントする。そして出力終了後再び第３段の表示に戻る。
【０１９３】
一方、第３段の設定画面で、表示されたリストより所望の文書をセンタして『再送信キー』を入力すると図１６６の第２段の設定画面に移行する。そして、再送信の手続を行い、所定時間この画面表示後、例えば約２秒後に再び図１６５の第３段の表示に戻る。
【０１９４】
ここで、表示されたリストより所望の文書をセンタして『消去キー』を入力すると図１６６の第３段の確認画面に移行する。ここで、この文書を消去してよい場合には『ＯＫキー』を押下してこの文書を消去する。そして表示は再び、図１６５の第３段の表示に戻る。確認画面で消去をしない場合には『取消キー』を入力することにより選択文書を消去しないで図１６５の第３段の表示に戻る。
【０１９５】
図１６５の第３段の画面において、『リストプリントキー』を入力すると図１６６の最下段の表示に移行し、送信文書リストをプリントしている旨を報知する。そして所定時間、例えば約２秒経過後再び図１６５の第３段の表示に戻る。
【０１９６】
ここで、『変更キー』を入力すると図１６７の最上段の表示に移行する。ここで、『宛先』を選択すると第２段の表示に移行する。ここで、第２段で『追加』を選択すると宛先の追加が可能となり、『テンキー』より順次宛先を追加していく。ここで例えば『削除』を選択すると第３段の確認画面標示となり、ここで『ＯＫキー』を入力すると当該選択文書が削除され、『取消キー』が入力されると削除せずに第２段の表示に戻る。このようにして順次宛先の追加を行い、１６件入力される、更に『テンキー』が入力されると最下段の表示となり、これ以上の同報が指定できないことを表示する。これを所定時間、例えば約２秒間行い、その後に図１６８の最上段の表示に移行する。
【０１９７】
更に図１６７の第２段で『修正』を選択した場合（テンキーダイヤルのみ）には、図１６８の第４段の確認画面に移行し、現在表示されている宛先を『テンキー』で修正可能となる。ここで所望の修正を行い『ＯＫキー』を入力すると修正が行われ図１６７の第２段の表示に戻る。一方、修正を中止する場合には『取消キー』を入力することにより修正せずに図１６７の第２段の表示に戻る。
【０１９８】
更に、図１６７の最上段の設定画面で『開始時刻』を選択した場合には図１６８の第４段の表示に移行し、開始時刻の設定が可能となる。ここで所望の開始時刻を設定し『ＯＫキー』を入力すると開始時刻設定が行われ図１６７の第２段の表示に戻る。一方、時刻設定を中止する場合には『取消キー』を入力することにより時刻設定せずに図１６７の第２段の表示に戻る。
【０１９９】
更に、図１６７の最上段の設定画面で『発信人名称』を選択した場合には図１６８の第２段の表示に移行し、発信人名称を選択可能となる。ここで所望の発信人名称を選択する。そして『ＯＫキー』を入力すると発信人名称の選択が行われ図１６７の第２段の表示に戻る。一方、時刻設定を中止する場合には『取消キー』を入力することにより発信人名称の選択をせずに図１６７の第２段の表示に戻る。
【０２００】
一方、図１６５の第２段で『受信文書リスト』を選択すると図１６６の最上段の設定画面に移行する。ここで『リストプリントキー』を入力すると図１６８の最下段の表示に移行し、受信文書リストをプリントしている旨を報知する。そして所定時間、例えば約２秒経過後再び図１６６の最上段の表示に戻る。ここで受信文書リスト処理を終了する場合には『ＯＫキー』を入力することにより図１６５の第２段の表示に戻る。
【０２０１】
図１６９〜図１７１は、ワンタッチダイヤルの登録の操作フローである。
【０２０２】
図１６９の最上段の設定画面で『ダイヤル登録』を選択すると第２段の設定画面に移行する。ここで、登録する項目を選択する。『ワンタッチダイヤル』を選択すると、先ず最初にワンタッチダイヤルの（０１）が選択される。ここで、（０１）が未登録の場合には第３段の表示に移行し、ワンタッチダイヤルの登録を行う。ここで『テンキー』を入力すると図１７０の第３段の表示に移行し、入力される電話番号が順次表示される。そして入力結果がＯＫであれば『ＯＫキー』を入力して所定時間最下段の登録確認画面を表示する。なおここで、登録処理を終了したい時には『取消キー』を入力することにより図１６９の第２段の表示に戻る。
【０２０３】
図１７０の第３段で略称も登録する場合には『略称キー』を入力し、図１６９最下段において相手先略称を入力する。入力終了後『ＯＫキー』を入力すると図１７０の第３段に戻る。なお、この時の表示は最上段の表示の如くに略称が含まれたものとなる。ここで『Ｆ網』を選択すると図１７１の第２段の設定画面に移行し、Ｆ網への登録が可能となる。ここでＦ網を設定して『ＯＫキー』を入力すると図１７０の最下段の登録確認画面に移行し、『取消キー』を入力した場合には図１６９の第２段の表示に戻る。
【０２０４】
また、図１７０の第３段の画面で『ポーズキー』を入力すると図１７１の最下段の画面に移行し、電話番号の間に「ポーズ」が挿入される。ここで『ＯＫキー』を入力すると図１７０の最下段の確認画面に移行し、『取消キー』を入力した場合には図１６９の第２段の表示に戻る。
【０２０５】
更に、図１６９の第２段で『ワンタッチダイヤルキー』入力時に、ワンタッチダイヤルの（０１）がすでに登録されている場合には図１７０の最上段の設定画面に移行する。そして現在登録されている内容を表示する。この登録内容を変更する場合には『消去キー』を入力する。これにより第２段の消去確認画面となり、『ＯＫキー』により消去を確認すると図１６９の第３段の画面に移行し、上述した手順で登録を行う。
【０２０６】
また、図１７０の最上段の表示でＯＫの場合には『ＯＫキー』を入力することにより最下段の表示に移行し、所定時間、例えば約２秒間この表示をした後図１７１の上段の設定画面に移行し、（０２）のワンタッチダイヤルの登録に移行する。以下、（０１）の場合と同様にして順次ワンタッチダイヤルへの登録を行う。
【０２０７】
図１７２〜図１７５は、短縮ダイヤルの登録の操作フローである。短縮ダイヤルは、相手先略称の他に、電話帳登録ができる。電話帳は、“あ”〜“ん”の電話帳に登録することができる。短縮ダイヤルは、上述したワンタッチダイヤルと同様にして登録でき、図１７２が上述した図１６９に、図１７３が図１７０に、図１７４が図１７１に対応する。なお、図１７５は短縮ダイヤルの仕方を示している。
【０２０８】
図１７６、図１７７は、ワンタッチダイヤル、短縮ダイヤルのオプションの設定フローである。上述した図１７０、図１７１、図１７３、図１７４で『オプションキー』が押下されると図１７６の最上段の設定画面に移行する。そして、ここで元の画面に戻りたければ『ＯＫキー』又は『取消キー』を押下する。また、ここで『送信スピード』を選択して所望の送信速度を、『国際回線』を選択して回線を選択する。『親展送信』を選択すれば中段の表示に移行し、また、中継指示があれば『中継指示キー』を入力することにより下段の表示に移行する。これらの設定がＯＫであれば『ＯＫキー』を入力して所望の処理を実行する。
【０２０９】
なお、図１７７は当該処理における国際回線及び送信スピードのキー入力毎の選択表示順序を示している。
【０２１０】
図１７８〜図１８１は、グループダイヤルの登録フローである。
【０２１１】
図１７８の第１段の設定画面で『グループダイヤル』を選択すると第２段の画面に移行し、グループダイヤルを短縮又はワンタッチダイヤルの中に設定できる。既に設定されていれば図１７９の第１段に移行し、この設定でよければ『ＯＫキー』を入力する。これにより第３段の画面に移行する。一方、ここで設定を変更する場合には『消去キー』を入力し、第２段の確認画面を経て『ＯＫキー』の入力により図１７８の第２段に移行する。
【０２１２】
図１７８の第２段の設定画面でグループダイヤルを短縮又はワンタッチダイヤルに設定する場合で、『短縮』に設定の場合には第３段の画面、『ワンタッチ』に設定の場合には第４段の画面でそれぞれ設定できる。設定がＯＫであれば『ＯＫキー』を入力して図１７９の第３段の表示に移行する。そしてグループ略称を入力する場合には第４段の画面で略称を入力する。入力終了後『ＯＫキー』を入力すれば図１８０の第１段の画面に移行し、登録確認画面が所定時間例えば約２秒間表示され、その後第２段の表示に移行し次の場所への登録が可能となる。
【０２１３】
一方、第３段の画面で短縮ダイヤルでグループダイヤルを設定する場合には『短縮』を選択して図１８１の第３段の画面として『テンキー』を入力して第４段の確認画面でダイヤルを登録する。そして『ＯＫキー』で図１７９の第４段に移行し、グループ略称入力を行う。
【０２１４】
また、第３段の画面で電話帳でグループダイヤルを設定する場合には『電話帳』を選択して図１８０の第３段の画面として電話帳から選択し、『ＯＫキー』で再び図１７９の第３段の画面に移行する。また、この図１７９の第３段の画面で、『宛先の消去』を選択すると図１８１の第１段の表示に移行し、宛先消去の確認画面が表示される。消去してよければ『ＯＫキー』の入力で図１７９の第４段の表示に移行する。一方、消去を取り止める時には『取り消しキー』を入力して図１７８の第３段又は第４段の画面に戻る。
【０２１５】
図１８２〜図１８４は、メールポストの登録フローである。この場合にも上述した設定と同様であるが、図１８２の第２段の画面で既に登録されている時には図１８３の第１の画面に、『電話帳』が選択された時には図１８４の第３段の画面に移行し、第３段又は第４段の表示で『ＯＫキー』を入力すれば図１８３の第３段の画面に移行する。
【０２１６】
図１８５〜図１８８は、中継グループの登録フローである。この場合も上述した登録フローの場合と同様であり、図１８５の第３段の画面で『ＯＫキー』が入力されると図１８６の第１段の画面に移行する。
【０２１７】
図１８９は、ユーザ電話番号の登録フローである。下段に示す様にユーザ電話番号を『テンキー』より入力する。
【０２１８】
図１９０は、ユーザ略称の登録フローである。下段でユーザ略称を入力することができる。
【０２１９】
図１９１、図１９２は、発信人名称の登録フローである。各操作は上述同様であるが、図１９１の第３段で『消去』を選択した場合には図１９２の上段の確認画面に移行し、消去ＯＫであれば選択名称が消去され、下段の登録画面となる。登録は図１９１の下段の画面と同様にして行う。ここで、登録をしない場合には『取消キー』を入力することにより図１９１の第２段の画面に移行する。
【０２２０】
図１９３は、通信管理レポート時刻の設定フローである。図の設定画面により通信管理レポート時刻を登録できる。
【０２２１】
図１９４〜図１９７は、親展ボックスの登録フローである。図１９４の第１段の設定画面により順次ガイダンスに従ってボックス番号を設定し、続いて第４段の画面で『テンキー』を入力すると図１９５の上段の画面に移行し、パスワードを入力する。続いて下段で親展ボックスの略称を入力し、ここで入力ＯＫであれば『ＯＫキー』を入力する。これにより下段の画面より図１９４の第２段の画面に戻る。そして次の親展ボックスへの登録が可能となる。
【０２２２】
以上の例は親展ボックスが未登録の場合であり、指定親展ボックスが既に登録済であれば図１９４の第３段の画面より図１９６の第１段の設定画面に移行し、パスワード確認画面となる。パスワード入力が正しくなければ第２段より図１９７の第１段の画面に移行し、正しいパスワード入力を促す。パスワード入力が正しければ第２段より第３段の画面となる。
【０２２３】
ここで変更内容の選択が可能となり、『パスワード変更』を選択した場合には図１９７の中段第２段の設定画面に移行し、ここで変更を行い再び図１９６の第３段の画面に戻る。『略称変更』を選択した場合には図１９７の下段の画面に移行し、略称を変更後再び図１９６の第３段の画面に戻る。『ボックス消去』を選択した場合には第４段の確認画面に移行し、消去ＯＫであれば『ＯＫキー』を入力する。これにより図１９４の第２段に戻る。図１９６の第３段の画面からも『ＯＫキー』を入力することにより図１９４の第２段に戻る。
【０２２４】
図１９８は、ポーリングＩ／Ｄの設定フローである。ポーリングＩ／Ｄは、「１」と「０」の組み合せであり８桁の数字である。これを図の様にして設定する。図１９９は、スピーカ音量の設定フローである。これを図の様にして設定する。
【０２２５】
図２００は、ポーズ時間の設定フローである。これを図の様にして設定する。
【０２２６】
図２０１、図２０２は、標準モードの変更の設定フローである。標準モードとは、解像度、画質、濃度であり、これらを標準のモードとして登録することができる。また初期値に戻すこともできる。これを図の様にして設定する。図２０１の第３段の画面において、『ＯＫキー』を入力して登録を選択すると図２０２の第１段の画面に移行し、この画面で『ＯＫキー』を入力すると所定時間例えば約２秒間「登録しました」の表示を行った後図２０１の第１段の画面に、『取消キー』を入力すると図２０１の第３段の画面に移行する。また、図２０２の第２段の画面で『ＯＫキー』又は『取消キー』を入力した場合には図２０１の第３段の画面に移行する。
【０２２７】
また、図２０１の第４段の画面で『ＯＫキー』を入力すると図２０２の第３段の画面に移行する。この画面で『取消キー』を入力すると図２０１の第３段の画面に、『ＯＫキー』を入力した場合には、所定時間例えば約２秒間「初期化しました」の表示をした後図２０１の第１段の画面に戻る。
【０２２８】
図２０３、図２０４は、ユーザソフトスイッチの設定の操作フローである。従来のファックス機能のユーザソフトスイッチの設定と、ソータの装着されている機械についてはソートビンの設定もできる。これを図２０３の様にして設定する。なお、図２０４はユーザソフトスイッチの項目を示している。
【０２２９】
図２０５〜図２０８は、強制メモリ受信の設定、出力の操作フローである。これにより、強制メモリ受信の設定、出力を行うことができる。強制メモリ受信は、受信した文書をプリントするのではなく、強制的にメモリで代行受信を行うことである。強制メモリ受信は、開始時刻、終了時刻、指定時間なしの設定ができる。また強制メモリ受信では、パスワードを設定することができる。さらに出力は、強制受信した文章を出力することができる。
【０２３０】
図２０５の第１段の画面で『強制メモリ受信』を選択すると、パスワードの設定があれば図２０６の第１段の画面に移行し、ここでパスワードを入力すると第２段の画面に移行し、ここで、『ＯＫキー』を入力した時に、入力したパスワードが正しければ図２０７の第１段に移行する。一方、正しく無ければ図２０５の中段に移行し、ここで再度パスワードを入力すると再び図２０６の中段の画面に移行する。
【０２３１】
また、図２０５の第１段の画面で『強制メモリ受信』の選択時、パスワードの設定が無ければ図２０７の第１段の画面に移行する。ここで強制メモリ受信のモードを選択し、ここで『パスワード設定キー』を押下するとパスワードの設定が可能であり、図２０５の下段の表示に移行する。ここでパスワードを入力すると図２０６の下段の画面に移行し、これでよければ『ＯＫキー』を押下する。すると図２０７の第１段の画面に戻る。
【０２３２】
一方、図２０７の第３段で時間帯を設定して『ＯＫキー』を入力すると図２０８の第３段の表示に移行し、送信可能となる。また、図２０７の最下段で『ＯＫキー』を入力すると図２０８の最下段の確認画面に移行し、送信可能となる。なおこの画面で『指定なしキー』を入力すれば、図２０７の第３段の画面に移行する。
【０２３３】
更に、図２０７の第１段の画面で『出力キー』を入力した場合には、図２０８の第１段に画面（受信文書ありの場合）、又は第２段の画面（受信文書なしの場合）に移行する。第１段の画面の場合には受信文書出力後図２０７の第１段の画面に戻り、第２段の画面の場合には所定時間例えば約２秒間経過後自動的に図２０７の第１段の表示に戻る。
【０２３４】
図２０９、図２１０は、リストプリントの操作フローである。図２０９の上段で『リストプリント』を選択し、中段でリストプリントを行う項目を選択し、下段の画面で『ＯＫキー』を押すことでリストプリントを行うことができる。このプリント中は図２１０の画面となり、プリント終了後図２０９の中段の表示に戻る。なお、図２０９の中段及び下段の画面で『取消キー』を入力した場合には上段の画面に戻る。
【０２３５】
図２１１〜図２１９は、文字入力画面での操作フローである。入力モードには、漢かな、コード、カナ、英字の入力モードがあり、そのいずれかを選択し、入力を行う。図２１１の画面より『入力モードキー』を押下する毎に、図２１１、図２１２、図２１３、図２１４、図２０５、図２１１の画面をローテートする。なお、図２１３の画面で『小文字キー』を入力すると図２１６の画面に移行する。ここで『入力モードキー』を入力すると図２１４の画面に移行する。
【０２３６】
なお、漢字入力に関しては、文節変換、単漢字変換があり、入力文字を変換できる。即ち、図２１１で例えば『Ａキー』を入力した場合には図２１７の第１段の画面に移行し、『単漢字』を選択すると図２１８の上段の画面に移行する。一方、例えば図２１１で『Ｋキー・Ｏキー・Ｎキー・Ｄキー・Ｕキー』と入力して『変換キー』を入力したような場合には図２１７の第２段の画面より第３段の画面に移行する。ここで、例えば漢字候補を見て『テンキー』の「２」を入力すれば図２１９の上段の表示の如くに所望の漢字が選択される。
【０２３７】
一方、図２１７の第３段で変換するのが３桁でよい場合には左矢印キーで入力の３桁のみ選択して『変換キー』を入力する。これにより図２１９の下段の表示となり、３桁での漢字候補より選択可能となる。
【０２３８】
図７は、図４の処理でファイルモードが選択された場合のフローチャートである。
【０２３９】
まず、ステップＳ７０１でファイル操作の初期化設定が行われる。続いてステップＳ７０２で操作パネルにファイル記録か検索かのモード選択を表示し、操作者よりのキー入力を待つ。記録キーが選択された場合にはステップＳ７０３に進み、記録条件設定を行い、続いてステップＳ７０４でリーダ部１より原稿を読み込み、ステップＳ７０５でファイル部５にデータを送り、ファイルの外部記憶装置６に記録する。そして図４のステップＳ４０１に戻る。
【０２４０】
ステップＳ７０２でファイル検索キーが選択された場合にはステップＳ７０６に進み、検索条件設定が行われる。続いてステップＳ７０７で外部記憶装置６よりファイルの検索が行われ、ステップＳ７０８で結果が出力される。そして図４のステップＳ４０１に戻る。
【０２４１】
図８は、図４において、コンピュータインタフェースに外部からコマンド・データが入力された場合の処理を示すフローチャートである。
【０２４２】
まず、ステップＳ８０１でコマンドをコンピュータインタフェースを介して受理する。そして続くステップＳ８０２で、コア部１０を経由してデータをフォーマッタ部８に送り、ここで解釈して文字等の意味のある情報に変換する。次にステップＳ８０３で、情報を出力するためにプリンタ部２が動作中かどうか確認する。プリンタ部２が動作中でない場合にたステップＳ８０４に進み、データを印刷する。
【０２４３】
一方、ステップＳ８０３でプリンタ部２が動作中の場合にはステップＳ８０５に進み、イメージメモリ部９に入力データを記憶し、ステップＳ８０３に戻る。そして、プリンタ部２が動作中でない時にステップＳ８０４に進み、印刷する。そして、ステップＳ８０４でのデータ出力後、図４のステップＳ４０１の初期設定に戻る。
【０２４４】
図２２０は、フォーマッタ部を選択するための制御を示すフローチャートである。
【０２４５】
ステップＳ３０１において、操作部でプリンタモードが選択された（押された）ことを検知するとステップＳ３０２に進む。ステップＳ３０２においては、プリンタフォーマッタ用のＬＩＰＳボードが接続されているか否かを検知する。ＬＩＰＳボードが接続されていることを検知するとステップＳ３０５に進む。ステップＳ３０５においては、さらにポストスクリプトのＰＳボードが接続されているかどうか検知する。ＰＳボードが接続されていることを検知するとステップＳ３０７に進む。ステップＳ３０７においてはＬＩＰＳ／ＰＳが選択可能であることよりＬＩＰＳ／ＰＳ選択画面を表示する。そして、ＬＩＰＳかＰＳかユーザの使用状況にあわせて設定できる。このＬＩＰＳ／ＰＳ選択画面を図２２１に示す。
【０２４６】
一方、ステップＳ３０５でＰＳボードが接続されていないことを検知するとステップＳ３０６に進み、ＬＩＰＳが設定されると設定画面が表示され、設定が終了するとＬＩＰＳの初期画面が表示される。これによって、ＬＩＰＳが設定されたことを確認する。ＬＩＰＳの初期画面を図２２２に示す。
【０２４７】
また、ステップＳ３０２でＬＩＰＳボードが接続されていないことを検知するとステップＳ３０３に進む。ステップＳ３０３において、ＰＳボードが接続されているかどうか検知する。ＰＳボードが接続されていないことを検知するとステップＳ３０１に戻る。ここで、ＰＳボードが接続されている場合にはステップＳ３０４に進み、ＰＳを設定するとＰＳ設定画面を表示する。これによって、ＰＳが設定されたことを確認する。このＰＳ設定画面を図２２３に示す。
【０２４８】
次に、プリンタモードの設定の操作フローを以下に記す。まずＬＩＰＳについて説明する。
【０２４９】
Ａ：基本操作部の各キーについて以下に簡単に説明する。
【０２５０】
図２２４、図２２５は、プリンタの基本設定フローである。
【０２５１】
『オンラインキー』を押すことで図２２４の上段に示すオンラインの状態にする。プリントは、オンラインの状態でしか行なうことができないためである。『オフラインキー』が反転している状態で『オンラインキー』を押すと『オンラインキー』が反転してオンライン状態になる。これによりプリンタ部２によるプリントが可能となる。
【０２５２】
プリント以外の操作をするときは、オフラインの状態でしか行なうことがで無いため、他のローカルな動作を行わせる場合には『オフライン』状態とする必要があり、この場合には『オフラインキー』を押すことで、図２２４の上段の画面より図２２５の上段の画面に移行させ、オフラインの状態にする。『オンラインキー』が反転している状態で『オフラインキー』を押すと『オフラインキー』が反転してオフライン状態になる。
【０２５３】
プリンタ内にデータが残っている場合、パネル全面の状況表示ランプが緑色に点灯する。この場合には、オフライン状態で『排出キー』を押すことでプリンタ内に残ったデータをプリントして排出させることができる。また、ホストコンピュータ側からのコマンドなどで一時的に変更したプリント環境を、現在使用中の動作モードに登録されている設定値に戻したりする場合には、『プリンタリセットキー』を押すことでプリンタ内のデータをクリアできる。
【０２５４】
更に、『給紙選択キー』を押すことで図２２５の中段の画面に移行させ、カセットサイズを全段表示して給紙方法を切り替え、給紙カセットまたは手差しトレイを選択できる。「手差し」を選択時は下段の画面に移行し、手差しの用紙サイズを選択する。そしてＯＫであれば『ＯＫキー』を入力することで上段の画面に戻る。中段で「手差し」以外を選択した時には、一定時間後に上段の画面に戻り、ここでは選択された用紙だけを表示する。
【０２５５】
図２２５の上段の画面で『オーバーレイ出力キー』を押すことで帳票類の罫線やタイトル等のように、プリントしたい文書の各ページに共通のフォーマットがある場合、あらかじめフォーマットを作成しておき、中に入るデータをフォーマットに重ねてプリント差せることができる。また、『テストプリントキー』を押すことで図２２４の中段の画面に移行させることができ、ここでテストプリントの種類選択画面を表示する。ここで、選択せずに『ＯＫキー』が押された場合には図２２５の上段の画面に戻る。しかし、ここでテストプリントの種類が選択されると下段の画面に移行し、テストプリント実行中を報知する。そしてプリント終了後図２２５の上段の画面に戻る。このテストプリントにより文字サンプルやプリンタに登録されている情報などをプリントできる。
【０２５６】
なお、本実施例では、プリントで何らかのエラーが起きて、プリントが中断された場合に、『エラースキップ』を押すとエラーを無視してプリントを続け差せることができる。
【０２５７】
Ｂ：応用操作部のキーを押すと基本操作部がその機能のためのメニュー表示に切り替わる。このため切り替わったメニューのキーを選択して、操作を進めていく。応用操作部の各キーを以下に説明する。
【０２５８】
図２２６、図２２７は、プリントの環境設定を行なう操作フローである。図２２６の第１段の環境設定のモードから、『環境設定キー』を押すことにより第２段に移行し、環境設定のモードが選択可能となる。ここで『環境設定』を選択して第３段、第４段の画面に移行させることにより、フォント（漢字コード、サイズ、漢字書体など）、拡張機能（２ページ印刷、拡大／縮小、縦補正、横補正、ソーター、両面など）、コピー／出力（コピー枚数、オーバーレイ１など）、レイアウト、（ページの向き、自動改行、自動改ページなど）、メモリサイズ（受信バッファ、キャッシュ）の設定ができる。設定がよければ第４段の画面で『ＯＫキー』を入力して図２２７の下段の確認画面に移行させ、『終了キー』を入力することにより図２２６の第２段の画面に戻る。
【０２５９】
この第２段の画面で『環境設定の保存キー』を押すことにより、図２２７の上段の画面表示となり、『ＯＫキー』を入力することにより設定した内容がメモリに保存され、一定時間例えば約１秒間「保存しました」の表示をした後図２２６の第２段の画面に戻る。なお、『Ｃキー』を入力すれば保存を行わずに図２２６の第２段の表示に戻る。
【０２６０】
図２２６の第２段の表示で『環境設定の初期化キー』を押すことにより、図２２７の中段の画面に移行し、工場出荷時の設定値に初期化することができる。『ＯＫキー』を入力することにより初期化され、一定時間例えば約１秒間「初期化しました」の表示をした後図２２６の第２段の画面に戻る。なお『Ｃキー』を入力すれば初期化を行わずに図２２６の第２段の表示に戻る。
【０２６１】
このように、環境設定や動作モードなどの機能を選択すると、操作を進めるためのキーや、中止するためのキーが表示される。具体的には、『オンラインキー』を入力することにより、操作の途中で、後の操作を省略してオンライン状態の基本画面に戻すことができる。『ＯＫキー』では、選択したキーの機能を確定して、次の操作画面を表示し、『Ｃキー』または『取消キー』では、選択した機能を取り出して、１つ前の操作画面に戻る。なお、『終了キー』では、環境設定など、応用操作部にサブメニューを表示しているとき、そのメニューの表示を終了する。これは本実施例の一連の説明に共通である。
【０２６２】
『環境設定キー』を押してフォントを選択すると、パネルの基本操作部にメニューが表示される。それぞれのメニューは４項目まで表示されますので、↑キーまたは↓キーを押して選択する。項目メニュー（漢字コードなど）の下の↓キーを１回押すたびに、１つ下の項目値が反転表示になり、選択されたことを表示する。選択された項目値に合わせて、設定値メニュー（ＪＩＳなど）の内容が切り替わる。さらに↓キーを押すと、続くメニュー画面が表示される。上の項目値を表示させる場合は、↑キーを押す。設定値メニューも同様に、↓キーまたは↑キーを押して、設定値を選択する。
【０２６３】
図２２８〜図２３１は、ダンプ／動作モードの操作フローである。この処理により、ホストコンピュータから送られたコマンドやデータが、そのままの形でプリントされるダンプリストをプリントすることができる。また、ホストコンピュータやアプリケーションソフトにあわせて、コントロールコマンドとプリント環境に関する設定をあらかじめ動作モードとしてメモリに登録しておくことができる。
【０２６４】
動作モードとして、［動作モード１］、［動作モード２］、［動作モード３］の３種類を登録して使い分けることができ、図２２８の最上段より最下段の設定画面により動作モードの選択が可能となる。動作モードの登録を行なうと、その内容はプリンタボードのバックアップＲＡＭと呼ばれるメモリに（不揮発性メモリ）に登録される。バックアップＲＡＭに登録された内容は、電源を切っても消えない。
【０２６５】
例えば、動作モード２を選択する場合、図２２８の第１段の標準画面でオフライン時、『ダンプ／動作モード』を押し、第２段のダンプ／動作モード選択画面にする。そこで『動作モード』を選択し、『ＯＫキー』を入力して第４段の動作モード選択画面にし、『動作モード２』を選択する。これにより図２２９の第１段の画面に移行する。ここで『取消キー』を入力すれば図２２８の第１段の画面に戻るが、『ＯＫキー』を押すことにより図２２９の第２段にし、『実行キー』を入力して動作モード２を実行して第３段の表示とし、『ＯＫキー』を押すことにより第２動作モード２が設定される。そして画面は図２３１のオンライン画面となる。
【０２６６】
なお、図２２９の第２段で『変更キー』を入力した場合には図２３０の画面に移行し、変更可能となる。ここで、『ＯＫキー』又は『取消キー』を入力することにより図２２９の第１段の表示になる。
【０２６７】
図２３２〜図２３５は、スキャナ合成を選択する操作フローである。図２３２の第１段の画面で『スキャナ合成』を選択することで、第２段以降の画面にすることができ、レターヘッドやロゴマーク、イラストなど、原稿の一部分を矩形でスキャンして、プリントするデータと重ね合わせて１枚の用紙にプリントすることができます。
【０２６８】
図２３２の第１段の画面で『スキャナ合成』を押し、第２段の画面としてオプションのエディタを使ってペン入力（第２段の画面）するかテンキー入力（第３段の画面）により画像をはめ込むエリアを設定する。各画面で『ＯＫキー』を入力すると図２３３の第２段の画面に移行し、指定されたエリアの外側あるいは内側だけをスキャンすることができる。そして第３段の画面でスキャナ合成するプリントデータのページ数を指定する。
【０２６９】
ここで全てのページを合成する場合には『ＯＫキー』を入力して第４段の画面とし、『スキャナ合成』を選択して第１段の画面にする。この第１段の画面で『取消キー』を入力すれば図２３２の第１段の画面になり、『エリアクリアキー』を入力すれば図２３２の第２段、又は第３段の画面に戻る。一方、図２３３の第３段で全てのページを合成しない場合には『連続キー』を入力し、図２３４の上段の画面に移行させ、ページ数指定又は連続かを選択する。
【０２７０】
上述の図２３２の第２段の画面で、ペン入力をする場合には、第４段に示す様に入力結果が表示される。このため、この画面で入力結果を確認し、『取消キー』を入力すれば第１段の画面に、『ポイントクリアキー』を入力すれば入力毎に１点づつ遡ってクリアされる。入力ＯＫであれば『ＯＫキー』を入力して図２３３の第２段の画面に移行する。
【０２７１】
また、図２３３の画面で『給紙選択』を入力すると図２３４の下段の表示に移行し、用紙選択が可能となる。そして、スキャナ合成が設定されると『スキャナ合成キー』が反転する。この場合において、図２３３の第２段でスキャナ原稿が「外側」の場合には図２３５の上段が表示され、スキャナ原稿が「内側」の場合には図２３５の下段が表示される。
【０２７２】
スキャナ合成を指定すると、合成オプションキーで画像処理を加えることができ、この処理を図２３６〜２４１に示す。
【０２７３】
図２３６は、画質を選択する操作フローである。文字原稿や写真原稿など原稿の種類に応じて、プリントの濃度を調節したり、画像の白黒をくっきりさせたりすることができル。濃度の調節に関してはコピー操作と同様である。シャープネス調節により画像は左キーでソフトに、右キーでハードになる。
【０２７４】
図２３７、図２３８がズーム処理であり、図２３７の中段の画面と図２３８の上段の画面は互いに『オートキー』を押す毎に切り替わり、図２３８の上段で『オートキー』以外の『＋キー』、『−キー』が選択されると図２３７の中段の画面となる。
【０２７５】
図２３７、図２３８は、ズームを選択する操作フローである。図２３７の第１段で『ズームキー』が押されると中段の画面となり、ＸＹ同率時は『−キー』、『＋キー』で縦／横同じ倍率で拡大／縮小される。図２３７の中段の画面と図２３８の上段の画面は互いに『オートキー』を押す毎に切り替わり、図２３８の上段で『オートキー』以外の『＋キー』、『−キー』が選択されると図２３７の中段の画面となる。『オートキー』では、オート倍率で拡大／縮小し、縦／横独立のオート倍率ＸＹ独立時は、縦／横異なる倍率で拡大／縮小する。
【０２７６】
図２３９、図２４０はトリミング移動の操作フロー、図２４１はイメージクリエイトの操作フローである。パターン化処理、マーカー処理も同様にコピー操作と同じである。図２３９の第３段又は第４段で『ＯＫキー』を入力すると図２４０の下段に移行し、図２４０の上段で『Ｃキー』を入力すると図２３９の第１段の画面に、『エリアクリアキー』を入力すると図２３９の第２段に移行する。
【０２７７】
図２４２は、プリント濃度を調節する操作フローである。プリントする濃度を濃くしたり、薄くしたりして希望の濃度に調節することができる。『濃度キー』は、オンライン／オフライン状態に関係なく選択できる。
【０２７８】
図２４３は、オプション情報を確認する操作フローである。ソーターや両面プリントなどの設定情報や、カードスロットに取付けられているフォントカードの名称などのオプション情報を確認することができる。『オプション確認キー』が押されるとオプション確認が反転して、フェースの設定、ソーターの設定、両面プリントの設定、カード名称の設定内容が表示される。
【０２７９】
図９は図４のステップＳ４０６でファクシミリ受信であった場合の処理を示すフローチャートである。
【０２８０】
まず、ステップＳ９０１でファックス部４でファクシミリ受信が行われる。続いてステップＳ９０２でプリンタ部２が動作中かどうか判定される。プリンタ部２が動作中でなければステップＳ９０３に進み、プリンタ部２にデータが送られ、印刷される。
【０２８１】
もし、ステップＳ９０２でプリンタ部２が動作中の場合にはステップＳ９０４に進み、受信データをファックス部４のハードディスクに記憶してステップＳ９０２に戻り、プリンタ部２が動作中でない時にプリントアウトされる（ステップＳ９０２、ステップＳ９０３）。
【０２８２】
プリント終了後、初期設定である図４のステップＳ４０１に戻る。
【０２８３】
図２４４、図２４５はプリントする紙がないときのフローチャートである。本実施例では、紙なしの表示は、コピー機能に対しての表示と、コピー以外のシステムに対しての表示に分れる。
【０２８４】
コピー機能に対しての場合、図２４４のフローチャートのように、ステップＳ１０１１で選択しているカセットに用紙があるか否かを調べ、選択しているカセットに用紙があれば、ステップＳ１０１２に進み、コピーできることを表すメッセージを表示し、用紙がなければステップＳ１０１３に進み、用紙がないことを表すメッセージを表示する。このメッセージを図２４６に示す。
【０２８５】
コピー以外のシステムに対しての場合は、図２４５のフローチャートに示す様に、先ずステップＳ１００１でシステム機能でプリント中に紙を補給しているカセットに紙がなくなったか否かを監視する。システム機能でプリント中に紙を補給しているカセットに紙がある場合にはステップＳ１００２に進み、ここで出力すべき用紙サイズの紙が無いかどうかを調べる。ここで、ファックスで出力すべき用紙がないときは、必ずＡ４で受信すると設定したときにＡ４の紙がなかったときや、Ａ３用紙を７０％に縮小して受信したときに、Ａ４Ｒ以上の紙がなかったときなどである。紙がある場合には、ステップＳ１００３でシステム機能が使用できるメッセージを表示する。例えば、より大きいサイズの紙の表示等である。
【０２８６】
一方、ステップＳ１００１で、システム機能でプリント中に紙を補給しているカセットに紙がなくなったとき、及びファックスで出力すべき用紙がないときにはステップＳ１００４に進み、紙なしを表す小ウィンドウを表示する。例えば、コピー機能で選択されているカセット段に、用紙があって、ファックスで出力すべき用紙がないときは、コピー設定画面では図２４７に示す表示をする。ファックス設定画面では図２４８のようになる。
【０２８７】
次に、あるシステムの設定画面を表示している時に、表示されている設定画面とは異なるシステムから動作が行なわれたときの動作について説明する。
【０２８８】
まず、現在表示されている画面に、そのシステムの状態を表すメッセージとそのシステムを表すアイコンを表示する。コア部から他のシステムが動作していることを表すデータが送信されれば、動作しているシステムを表すアイコンを設定しているシステムを表すアイコンの横に表示して点滅させる。次に他のシステムの動作が終了すると、動作していたシステムを表すアイコンだけを消去する。例えば、コピー画面を表示しているときにファックス出力があるとき、例えば図２４９のように表示され、ファックス画面を表示しているときに、プリンタフォーマッタ部からの出力があると、図２５０のように表示される。
【０２８９】
次に、ファックス画面が表示されているときのエラー処理動作について説明する。エラーの検知は、リーダ部１及びプリンタ部２と、ファックスボード部の２つに分類される。
【０２９０】
ファックスボード部からエラーが検知されれば、例えば図２５１に示すようにエラー番号をファックス設定画面に表示する。リーダプリンタ部からエラーが検知されれば、ファックス画面から、コピー画面に移り、コピー画面で例えば図２５２に示すエラーを表示する。
【０２９１】
図２５３は、オートクリア処理を示すフローチャートである。ステップＳ１０２１で一定期間操作されないとステップＳ１０２２に進み、オートクリア後、現在設定中の画面を表示するかどうか判断する。オートクリア後、現在設定中の画面を表示する場合にはステップＳ１０２３に進み、現在表示している設定画面の機能がオートクリアしてよいかどうか判断する。オートクリアしてよいならステップＳ１０２４に進み、現在設定中の画面の機能のモードをクリアし、続くステップＳ１０２５で現在設定中の機能の初期画面を表示する。
【０２９２】
もし、ステップＳ１０２３でオートクリア禁止の状態だったらステップＳ１０２１に戻る。
【０２９３】
一方、ステップＳ１０２２でオートクリア後、現在設定中の画面を表示しないと判断されたときにはステップＳ１０２６に進み、現在表示している画面の機能が電源ＯＮ後表示する画面の機能と同じかどうか判断する。同じならステップＳ１０２３に進み、前述と同様な操作が行われる。
【０２９４】
一方、ステップＳ１０２６でもし異なるならステップＳ１０２７に進み、すべての機能がオートクリア可能かどうか判断する。クリア可能ならステップＳ１０２８に進み、すべての機能のモードをクリアし、続くステップＳ１０２９で電源ＯＮ後表示する機能の初期画面を表示する。ステップＳ１０２７でもし、オートクリア不可能ならステップＳ１０２１へ戻る。
【０２９５】
図２５４〜図２５３は、各機能に共通の設定を行なう共通設定が選択されたときの画面である。例えば、ある一定期間操作が行われないと、モードがクリアされる、オートクリア機能に関する設定などを行うことができる。
【０２９６】
オートクリアタイムは図２５４の画面で設定する。例えば、『−，＋キー』を押すことにより、時間を設定し、２分と表示されているときに『ＯＫキー』を押すと、オートクリアタイムは２分と設定され、２分間、操作されなかったとき、オートクリア可能な状態なら、モードがクリアされる。
【０２９７】
また、図２５５は、オートクリア後、現在設定中の画面を表示するか、電源ＯＮ後初期モードで設定される機能の画面を表示するかを選択する画面である。カーソルの反転を左側の（ａ）の矢印キーでオートクリア後のモードに合わせ、右側の（ｂ）の矢印キーで復帰しないか復帰するかを選択する。復帰しないを選べば、オートクリア後、初期モードで指定されている画面を表示し、復帰するを選べば、現在表示されている機能の初期画面を表示する。
【０２９８】
例えば、図２５６に示す様に、初期モードがコピーと指定されている場合には、オートクリア後のモードが復帰しないと指定されているとき、ファックス機能の設定画面で一定時間操作されなかったとき、すべての機能がオートクリア可能な状態なら、コピー、ファックス、その他の機能のモードをクリアし、コピー機能を設定する初期画面を表示する。
【０２９９】
また、プリントする紙がないなどのオートクリア不可能な状態のときは、どのモードもクリアされず、現在設定されているモードを維持する。次に、オートクリア後のモードを復帰すると指定されているときに、ファックス機能の設定画面で一定時間操作されなかったときは、ファックス機能のモードだけをクリアし、コピー、その他の機能のモードは維持してファックスの初期画面を表示する。
【０３００】
次に、共通設定のモードの設定の操作フローを以下に記す。
【０３０１】
図２５７の第１段の画面は、通常コピーを行う操作フローである。ここで、下矢印キーを押すと第２段の画面が表示される。ここで『共通キー』を押すと、第３段の画面が表示され、共通モードに入る。この画面で『仕様設定』を選択すると、図２５８が表示される。ここで『仕様設定キー』を押すと、図２５９に示す画面が表示され、種々のモードを設定できる。
【０３０２】
また、図２５７の第３段の画面で『タイマ設定』を選択すると、図２６０の上段の画面が表示される。ここでオートクリアタイムを選択すると図２６１の中段の画面が表示され、オートクリアタイムを設定できる。設定後『ＯＫキー』を押すと、図２６０の第１段目の画面に戻る。
【０３０３】
図２６０の上段の画面において、『オートパワーオフタイム』を選択すると、図２６１の下段の画面が表示される。ここでオートパワーオフタイムを設定し、『ＯＫキー』を押すと、図２６０の上段の画面に戻る。この上段の画面において、『ウイークリータイマ』を選択すると、中段の画面が表示される。ウイークリータイマを設定し、『ＯＫキー』を押すと、再び上段の画面に戻る。
【０３０４】
図２６０の上段の画面において、『日付／時刻』を選択すると、下段の画面が表示される。ここで日付／時刻を設定し、『ＯＫキー』を押すと上段の画面に戻る。この上段の画面において、すべての設定が終わった時は、『終了キー』を押すことにより図２５７の下段の画面に戻る。
【０３０５】
図２５７の下段の画面において、『調整／クリーニング』を選択すると、図２６２の上段の画面が表示される。ここで『ワイヤークリーニング』を選択すると中段の画面が表示される。ここで、『ＯＫキー』を押すと、下段の画面が表示され、ワイヤーのクリーニングを開始する。図２６２の上段の画面において、『フィーダクリーニング』を選択すると、図２６３の上段の画面が表示される。この画面で『ＯＫキー』を押すと下段の画面が表示され、フィーダのクリーニングを開始する。
【０３０６】
図２６２の上段の画面（図２６４の上段の画面と同じである。）において、『ズーム微調整』を選択すると、図２６４の中段の画面が表示される。ここで、倍率の微調整を設定し、『ＯＫキー』を押すと、元の画面にに戻る。また『Ｃキー』を押しても同様である。
【０３０７】
図２６４の上段の画面において、『濃度調整』を選択すると、下段の画面が表示される。ここで、濃度を調整し、『ＯＫキー』を押すと再び上段の画面に戻る。また『Ｃキー』を押しても上段の画面に戻る。
【０３０８】
なお、本実施例装置にファクスボード、ファイルボード、プリンタボード、Ｉ．Ｍ（イメージメモリ）ボードのうち２つまでしか搭載されていない場合には、図２５７の上段の設定画面に変え、図２６５に示す設定画面が表示される。
【０３０９】
次に、図２６６、図２６７に「インタフェース」の接続の種類を選択する操作フローを示す。接続するもののキーを押すことで、接続するものを選択することができる。
【０３１０】
図２６６の第１段の画面で、接続するもののキーを押すと、第２段の操作フローが表示される。ここで接続される接続ボードを選択する。選択するボードが決まったら、『ＯＫキー』を押す。これにより第３段の画面が表示される。この第３段の画面は、設定モードを選択する操作フローである。ここで、『インタフェース設定』を選択すると第４段の画面が表示される。この第４段の画面は、種々の設定値の変更ができる操作フローである。ここで各設定値の変更を行い、変更後、『ＯＫキー』を入力すれば図２６７の下段の確認画面に移行し、『ＯＫキー』を入力することにより図２６６の第３段の画面に戻る。
【０３１１】
第３段の画面で『設計値の保存』を選択すると、図２６７の上段の画面が表示される。ここで『ＯＫキー』又は『取消キー』を押すことにより図２６６の第３段の画面に戻る。一方、図２６６の第３段の画面で『設定値の初期化』を選択すると、図２６７の中段の画面が表示される。ここで『ＯＫキー』又は『取消キー』を押すことにより図２６６の第３段の画面に戻る。一方、図２６６の第３段の画面で何も選択せずそのまま『ＯＫキー』を押すと、図２６７の下段の確認画面に移行し、『ＯＫキー』を入力することにより図２６６の第３段の画面に戻る。
【０３１２】
なお、上述した図２６７の上段の画面は、設定値を保存するかしないか選択する操作フローである。選択後『ＯＫキー』を押すと、「保存しました」を２秒間表示してから図２６６の第３段の画面に戻り、『取消キー』を押すとすぐに図２６７の第３段の画面に戻る。また、図２６７の中段の画面は、設定値を初期化するかしないか選択できる操作フローである。選択後『ＯＫキー』を押すと、「初期化しました」を２秒間表示してから『取消キー』を押すとすぐに、図２６７の第３段の画面に戻る。これでインタフェースの設定変更が完了する。
【０３１３】
以上説明した様に本実施例によれば、複合機能のオートクリア処理を区別して行うことができる。
【０３１４】
＜第２の実施例＞
第２の実施例における、オートクリアのフローチャートを図２６８に示す。
【０３１５】
図２６８において、ステップＳ１０３１でオートクリア後のモードを指定し、一定期間操作されなかったか否かを監視する。例えば、図２６９に示すように、オートクリア後のモードを指定し、一定期間操作されなかったときにはステップＳ１０３２に進み、オートクリア後のモードが復帰しないと設定されているか否かを調べる。ここで、オートクリア後のモードが復帰しないと設定されていたらステップＳ１０３５に進み、すべてのモードがオートクリア可能か判断する。クリア可能ならステップＳ１０３６に進み、すべての機能のモードをクリアし、初期モードで指定されている機能の初期画面を表示する。
【０３１６】
一方、ステップＳ１０３５ですべてのモードがオートクリア可能でなければステップＳ１０３７に進み、オートクリアしないでステップＳ１０３１に戻る。
【０３１７】
ステップＳ１０３２でオートクリア後のモードが復帰しないと設定されている場合にはステップＳ１０３３に進み、コピーと設定されているか否かを調べる。コピーと設定されていない時にはステップＳ１０３４に進み、ファクシミリと設定されているか否かを調べる。ファクシミリモードで無ければ同様に各モードに設定されているか否かを調べる。
【０３１８】
ステップＳ１０３３でもし、コピーと設定されている場合及びステップＳ１０３４でファクシミリと設定されている場合にはステップＳ１０３８に進み、現在表示中の機能と指定された機能（コピー機能、ファクシミリ機能）がオートクリア可能か判断する。両方とも可能ならステップＳ１０３９に進み、指定された機能と現在表示中の機能のモードをクリアし、コピーの初期画面を表示する。
【０３１９】
一方、ステップＳ１０３８で現在表示中の機能と指定された機能（コピー機能、ファクシミリ機能）がオートクリア可能でないならステップＳ１０４０に進み、オートクリアしないでステップＳ１０３１に戻る。
【０３２０】
以上説明した様に第２実施例によれば、複合機能のオートクリア処理を区別して行うことができる。
【０３２１】
＜第３の実施例＞
以上に説明した第２の実施例においては、現在表示中の機能と指定された機能（コピー機能、ファクシミリ機能）共にオートクリア可能でないならオートクリアしなかった。しかし本発明は以上の例に限定されるものでは無く、現在表示中の機能に関係なく、指定された機能（コピー機能、ファクシミリ機能）がオートクリア可能であればオートクリアする様に制御してもよい。この様に制御した本発明に係る第３実施例を図２７０のフローチャートを参照して以下に説明する。
【０３２２】
ステップＳ１０５１で一定期間操作されなかったときにはステップＳ１０５２に進み、オートクリア後のモードが復帰しないと設定されているか否かを調べる。ここで、オートクリア後のモードが復帰しないと設定されていたらステップＳ１０５５に進み、すべてのモードがオートクリア可能か判断する。クリア可能ならステップＳ１０５６に進み、すべての機能のモードをクリアし、初期モードで指定されている機能の初期画面を表示する。
【０３２３】
一方、ステップＳ１０５５ですべてのモードがオートクリア可能でなければステップＳ１０５７に進み、オートクリアしないでステップＳ１０５１に戻る。ステップＳ１０５２でオートクリア後のモードが復帰しないと設定されている場合にはステップＳ１０５３に進み、コピーと設定されているか否かを調べる。コピーと設定されていない時にはステップＳ１０５４に進み、ファクシミリと設定されているか否かを調べる。ファクシミリモードで無ければ同様に各モードに設定されているか否かを調べる。
【０３２４】
ステップＳ１０５３でもし、コピーと設定されている場合及びステップＳ１０５４でファクシミリと設定されている場合にはステップＳ１０５８に進み、指定された機能（コピー機能、あるいはファクシミリ機能）がオートクリア可能か判断する。指定された機能（コピー機能、あるいはファクシミリ機能）がオートクリア可能ならステップＳ１０５９に進み、現在表示中の機能のモードは維持しつつ指定された機能のモードのみをクリアし、コピーの初期画面を表示する。
【０３２５】
一方、ステップＳ１０３８で現在表示中の機能と指定された機能（コピー機能、ファクシミリ機能）がオートクリア可能でないならステップＳ１０４０に進み、オートクリアしないでステップＳ１０３１に戻る。
【０３２６】
以上説明した様に第３実施例によれば、複合機能のオートクリア処理を区別して行うことができる。
【０３２７】
尚、本発明は、複数の機器から構成されるシステムに適用しても、１つの機器から成る装置に適用しても良い。
【０３２８】
また、本発明はシステム或は装置にプログラムを供給することによって達成される場合にも適用できることは言うまでもない。
【図面の簡単な説明】
【０３２９】
【図１】本発明に係る一実施例の画像形成システムのブロック構成図である。
【図２】図１に示すリーダ部とプリンタ部の構成を示す断面図である。
【図３】図１に示すリーダ部にある操作パネルの構成図である。
【図４】本実施例のメイン動作を示すフローチヤートである。
【図５】本実施例のコピーモード選択時の動作を示すフローチヤートである。
【図６】本実施例のファックス送信モード選択時の動作を示すフローチヤートである。
【図７】本実施例のファイルモード選択時の動作を示すフローチヤートである。
【図８】本実施例のコンピュータインターフェイスからの入力モード選択時の動作を示すフローチヤートである。
【図９】本実施例のファックス受信モード選択時の動作を示すフローチヤートである。
【図１０】本実施例の初期設定処理を示すフローチャートである。
【図１１】本実施例装置がファックス部機能のみ装着されている場合の操作部における設定画面の表示例を示す図である。
【図１２】本実施例装置がファックス部、プリンタフォーマッタ部、ファイル部が装着されている場合の操作部における設定画面の表示例を示す図である。
【図１３】図１２の表示状態より『下矢印キー』を選択入力した場合の操作部における設定画面の表示例を示す図である。
【図１４】本実施例におけるコピー処理の初期画面を示す図である。
【図１５】本実施例における応用ズームモードの表示画面を示す図である。
【図１６】本実施例のｘｙ独立ズーム設定画面を示す図である。
【図１７】本実施例のタッチパネルキーを認識させる方法を示すフローチャートである。
【図１８】本実施例の用紙を選択する処理における操作部の表示操作フローを示す図である。
【図１９】本実施例の用紙を選択する処理における操作部の表示操作フローを示す図である。
【図２０】本実施例の用紙を選択する処理における操作部の表示操作フローを示す図である。
【図２１】本実施例の用紙を選択する処理における操作部の表示操作フローを示す図である。
【図２２】本実施例の濃度、文字強調モード、ＨｉＦｉモードを設定する処理における操作部の表示操作フローを示す図である。
【図２３】本実施例の濃度、文字強調モード、ＨｉＦｉモードを設定する処理における操作部の表示操作フローを示す図である。
【図２４】本実施例の濃度、文字強調モード、ＨｉＦｉモードを設定する処理における操作部の表示操作フローを示す図である。
【図２５】本実施例の変倍を設定する処理における操作部の表示操作フローを示す図である。
【図２６】本実施例の変倍を設定する処理における操作部の表示操作フローを示す図である。
【図２７】本実施例の変倍を設定する処理における操作部の表示操作フローを示す図である。
【図２８】本実施例の変倍を設定する処理における操作部の表示操作フローを示す図である。
【図２９】本実施例の変倍を設定する処理における操作部の表示操作フローを示す図である。
【図３０】本実施例のソートモードを選択する処理における操作部の表示操作フローを示す図である。
【図３１】本実施例のソートモードを選択する処理における操作部の表示操作フローを示す図である。
【図３２】本実施例のソートモードを選択する処理における操作部の表示操作フローを示す図である。
【図３３】本実施例のソートモードを選択する処理における操作部の表示操作フローを示す図である。
【図３４】本実施例のソートモードを選択する処理における操作部の表示操作フローを示す図である。
【図３５】本実施例の両面モードを設定する処理における操作部の表示操作フローを示す図である。
【図３６】本実施例の両面モードを設定する処理における操作部の表示操作フローを示す図である。
【図３７】本実施例の両面モードを設定する処理における操作部の表示操作フローを示す図である。
【図３８】本実施例の両面モードを設定する処理における操作部の表示操作フローを示す図である。
【図３９】本実施例の両面モードを設定する処理における操作部の表示操作フローを示す図である。
【図４０】本実施例の両面モードを設定する処理における操作部の表示操作フローを示す図である。
【図４１】本実施例の両面モードを設定する処理における操作部の表示操作フローを示す図である。
【図４２】本実施例の両面モードを設定する処理における操作部の表示操作フローを示す図である。
【図４３】本実施例の連写モードを設定する処理における操作部の表示操作フローを示す図である。
【図４４】本実施例の連写モードを設定する処理における操作部の表示操作フローを示す図である。
【図４５】本実施例の連写モードを設定する処理における操作部の表示操作フローを示す図である。
【図４６】本実施例の連写モードを設定する処理における操作部の表示操作フローを示す図である。
【図４７】本実施例の表紙モードを設定する処理における操作部の表示操作フローを示す図である。
【図４８】本実施例の表紙モードを設定する処理における操作部の表示操作フローを示す図である。
【図４９】本実施例の表紙モードを設定する処理における操作部の表示操作フローを示す図である。
【図５０】本実施例のＯＨＰ中差しモードを設定する処理における操作部の表示操作フローを示す図である。
【図５１】本実施例のＯＨＰ中差しモードを設定する処理における操作部の表示操作フローを示す図である。
【図５２】本実施例のＯＨＰ中差しモードを設定する処理における操作部の表示操作フローを示す図である。
【図５３】本実施例の縮小レイアウトモードを設定する処理における操作部の表示操作フローを示す図である。
【図５４】本実施例の縮小レイアウトモードを設定する処理における操作部の表示操作フローを示す図である。
【図５５】本実施例の縮小レイアウトモードを設定する処理における操作部の表示操作フローを示す図である。
【図５６】本実施例の縮小レイアウトモードを設定する処理における操作部の表示操作フローを示す図である。
【図５７】本実施例の縮小レイアウトモードを設定する処理における操作部の表示操作フローを示す図である。
【図５８】本実施例の縮小レイアウトモードを設定する処理における操作部の表示操作フローを示す図である。
【図５９】本実施例の縮小レイアウトモードを設定する処理における操作部の表示操作フローを示す図である。
【図６０】本実施例の縮小レイアウトの処理における操作部の表示操作フローを示す図である。
【図６１】本実施例の多重モードを設定する処理における操作部の表示操作フローを示す図である。
【図６２】本実施例の多重モードを設定する処理における操作部の表示操作フローを示す図である。
【図６３】本実施例の移動モードを設定する処理における操作部の表示操作フローを示す図である。
【図６４】本実施例の移動モードを設定する処理における操作部の表示操作フローを示す図である。
【図６５】本実施例の移動モードを設定する処理における操作部の表示操作フローを示す図である。
【図６６】本実施例のとじ代モードを設定する処理における操作部の表示操作フローを示す図である。
【図６７】本実施例のとじ代モードを設定する処理における操作部の表示操作フローを示す図である。
【図６８】本実施例のとじ代モードを設定する処理における操作部の表示操作フローを示す図である。
【図６９】本実施例のとじ代モードを設定する処理における操作部の表示操作フローを示す図である。
【図７０】本実施例の枠消しモードを設定する処理における操作部の表示操作フローを示す図である。
【図７１】本実施例の枠消しモードを設定する処理における操作部の表示操作フローを示す図である。
【図７２】本実施例の枠消しモードを設定する処理における操作部の表示操作フローを示す図である。
【図７３】本実施例の枠消しモードを設定する処理における操作部の表示操作フローを示す図である。
【図７４】本実施例のパターン化処理モードを設定する処理における操作部の表示操作フローを示す図である。
【図７５】本実施例のパターン化処理モードを設定する処理における操作部の表示操作フローを示す図である。
【図７６】本実施例の色消去モードを設定する処理における操作部の表示操作フローを示す図である。
【図７７】本実施例の色消去モードを設定する処理における操作部の表示操作フローを示す図である。
【図７８】本実施例の色消去モードを設定する処理における操作部の表示操作フローを示す図である。
【図７９】本実施例のマーカ指定モードを設定する処理における操作部の表示操作フローを示す図である。
【図８０】本実施例のマーカ指定モードを設定する処理における操作部の表示操作フローを示す図である。
【図８１】本実施例のマーカ指定モードを設定する処理における操作部の表示操作フローを示す図である。
【図８２】本実施例のマーカ色を指定する処理における操作部の表示操作フローを示す図である。
【図８３】本実施例のマーカ色を指定する処理における操作部の表示操作フローを示す図である。
【図８４】本実施例のマーカ色を指定する処理における操作部の表示操作フローを示す図である。
【図８５】本実施例の部分処理モードを設定する処理における操作部の表示操作フローを示す図である。
【図８６】本実施例の部分処理モードを設定する処理における操作部の表示操作フローを示す図である。
【図８７】本実施例の部分処理モードを設定する処理における操作部の表示操作フローを示す図である。
【図８８】本実施例の部分処理モードを設定する処理における操作部の表示操作フローを示す図である。
【図８９】本実施例の部分処理モードを設定する処理における操作部の表示操作フローを示す図である。
【図９０】本実施例の部分処理モードを設定する処理における操作部の表示操作フローを示す図である。
【図９１】本実施例の部分処理モードを設定する処理における操作部の表示操作フローを示す図である。
【図９２】本実施例の部分処理モードを設定する処理における操作部の表示操作フローを示す図である。
【図９３】本実施例の部分処理モードを設定する処理における操作部の表示操作フローを示す図である。
【図９４】本実施例のトリミング、マスキングモードを設定する処理における操作部の表示操作フローを示す図である。
【図９５】本実施例のトリミング、マスキングモードを設定する処理における操作部の表示操作フローを示す図である。
【図９６】本実施例のトリミング、マスキングモードを設定する処理における操作部の表示操作フローを示す図である。
【図９７】本実施例のトリミング、マスキングモードを設定する処理における操作部の表示操作フローを示す図である。
【図９８】本実施例のイメージクリエイトモードを設定する処理における操作部の表示操作フローを示す図である。
【図９９】本実施例のイメージクリエイトモードにおける斜体、鏡像、イメージリピート処理を設定する処理における操作部の表示操作フローを示す図である。
【図１００】本実施例における輪郭処理を設定する処理における操作部の表示操作フローを示す図である。
【図１０１】本実施例の網処理を設定する処理における操作部の表示操作フローを示す図である。
【図１０２】本実施例の網処理を設定する処理における操作部の表示操作フローを示す図である。
【図１０３】本実施例の影処理を設定する処理における操作部の表示操作フローを示す図である。
【図１０４】本実施例のネガポジ反転処理を設定する処理における操作部の表示操作フローを示す図である。
【図１０５】本実施例の斜体モードを設定する処理における操作部の表示操作フローを示す図である。
【図１０６】本実施例の鏡像モードを設定する処理における操作部の表示操作フローを示す図である。
【図１０７】本実施例の鏡像モードを設定する処理における操作部の表示操作フローを示す図である。
【図１０８】本実施例のイメージリピート処理を設定する処理における操作部の表示操作フローを示す図である。
【図１０９】本実施例のシャープネスを設定する処理における操作部の表示操作フローを示す図である。
【図１１０】本実施例のＸＹ独立ズームモードを設定する処理における操作部の表示操作フローを示す図である。
【図１１１】本実施例のズームプログラムを設定する処理における操作部の表示操作フローを示す図である。
【図１１２】本実施例の拡大連写を設定する処理における操作部の表示操作フローを示す図である。
【図１１３】本実施例の拡大連写を設定する処理における操作部の表示操作フローを示す図である。
【図１１４】本実施例のモードメモリの登録を設定する処理における操作部の表示操作フローを示す図である。
【図１１５】本実施例の標準モードの変更を設定する処理における操作部の表示操作フローを示す図である。
【図１１６】本実施例の標準モードの変更を設定する処理における操作部の表示操作フローを示す図である。
【図１１７】本実施例のプロジェクタモータを設定する処理における操作部の表示操作フローを示す図である。
【図１１８】本実施例のプロジェクタモータを設定する処理における操作部の表示操作フローを示す図である。
【図１１９】本実施例のプロジェクタモータを設定する処理における操作部の表示操作フローを示す図である。
【図１２０】本実施例のプロジェクタレイアウトモードを設定する処理における操作部の表示操作フローを示す図である。
【図１２１】本実施例のプロジェクタレイアウトモードを設定する処理における操作部の表示操作フローを示す図である。
【図１２２】本実施例のメモリ合成モードを設定する処理における操作部の表示操作フローを示す図である。
【図１２３】本実施例のメモリ合成モードを設定する処理における操作部の表示操作フローを示す図である。
【図１２４】本実施例のメモリ合成モードを設定する処理における操作部の表示操作フローを示す図である。
【図１２５】本実施例のメモリ合成モードを設定する処理における操作部の表示操作フローを示す図である。
【図１２６】本実施例のメモリ網のせモードを設定する処理における操作部の表示操作フローを示す図である。
【図１２７】本実施例のメモリ網のせモードを設定する処理における操作部の表示操作フローを示す図である。
【図１２８】本実施例の発信人名称を指定する操作フローを示す図である。
【図１２９】本実施例の発信人名称を指定する操作フローを示す図である。
【図１３０】本実施例の発信人名称を指定する操作フローを示す図である。
【図１３１】本実施例のＤＨ装着時におけるメモリ送信操作フローを示す図である。
【図１３２】本実施例のＤＨ装着時におけるメモリ送信操作フローを示す図である。
【図１３３】本実施例のＤＨ非装着時、またはＤＨ装着時でもＤＨをしない場合のメモリ送信操作フローを示す図である。
【図１３４】本実施例のＤＨ非装着時、またはＤＨ装着時でもＤＨをしない場合のメモリ送信操作フローを示す図である。
【図１３５】本実施例のテンキー入力時の送信操作フローを示す図である。
【図１３６】本実施例のテンキー入力時の送信操作フローを示す図である。
【図１３７】本実施例のワンタッチダイヤルにおける送信操作フローを示す図である。
【図１３８】本実施例の短縮ダイヤルにおける送信操作フローを示す図である。
【図１３９】本実施例の電話帳による送信操作フローを示す図である。
【図１４０】本実施例の電話帳による送信操作フローを示す図である。
【図１４１】本実施例の解像度変更の操作フローを示す図である。
【図１４２】本実施例の解像度変更の操作フローを示す図である。
【図１４３】本実施例の画質の変更操作フローを示す図である。
【図１４４】本実施例の画質の変更操作フローを示す図である。
【図１４５】本実施例の略称切り替えの操作フローを示す図である。
【図１４６】本実施例の略称切り替えの操作フローを示す図である。
【図１４７】本実施例の読取サイズの操作フローを示す図である。
【図１４８】本実施例のタイマ送信の設定フローを示す図である。
【図１４９】本実施例のタイマ送信の設定フローを示す図である。
【図１５０】本実施例のポーリングの操作フローを示す図である。
【図１５１】本実施例のポーリングの操作フローを示す図である。
【図１５２】本実施例の中継指示の操作フローを示す図である。
【図１５３】本実施例の親展送信、親展出力の操作フローを示す図である。
【図１５４】本実施例の親展送信、親展出力の操作フローを示す図である。
【図１５５】本実施例の親展送信、親展出力の操作フローを示す図である。
【図１５６】本実施例の親展送信、親展出力の操作フローを示す図である。
【図１５７】本実施例の送信による画像処理の操作フローを示す図である。
【図１５８】本実施例の送信における読取モードの設定フローを示す図である。
【図１５９】本実施例の送信における読取モードの設定フローを示す図である。
【図１６０】本実施例の送信における読取モードの設定フローを示す図である。
【図１６１】本実施例の試し撮りの操作フローを示す図である。
【図１６２】本実施例のモニタの操作フローを示す図である。
【図１６３】本実施例の通信管理レポートの操作フローを示す図である。
【図１６４】本実施例の通信管理レポートの操作フローを示す図である。
【図１６５】本実施例のメモリ照会の操作フローを示す図である。
【図１６６】本実施例のメモリ照会の操作フローを示す図である。
【図１６７】本実施例のメモリ照会の操作フローを示す図である。
【図１６８】本実施例のメモリ照会の操作フローを示す図である。
【図１６９】本実施例のワンタッチダイヤルの登録の操作フローを示す図である。
【図１７０】本実施例のワンタッチダイヤルの登録の操作フローを示す図である。
【図１７１】本実施例のワンタッチダイヤルの登録の操作フローを示す図である。
【図１７２】本実施例の短縮ダイヤルの登録の操作フローを示す図である。
【図１７３】本実施例の短縮ダイヤルの登録の操作フローを示す図である。
【図１７４】本実施例の短縮ダイヤルの登録の操作フローを示す図である。
【図１７５】本実施例の短縮ダイヤルの登録の操作フローを示す図である。
【図１７６】本実施例のワンタッチダイヤル、短縮ダイヤルのオプションの設定フローを示す図である。
【図１７７】本実施例のワンタッチダイヤル、短縮ダイヤルのオプションの設定フローを示す図である。
【図１７８】本実施例のグループダイヤルの登録フローを示す図である。
【図１７９】本実施例のグループダイヤルの登録フローを示す図である。
【図１８０】本実施例のグループダイヤルの登録フローを示す図である。
【図１８１】本実施例のグループダイヤルの登録フローを示す図である。
【図１８２】本実施例のメールポストの登録フローを示す図である。
【図１８３】本実施例のメールポストの登録フローを示す図である。
【図１８４】本実施例のメールポストの登録フローを示す図である。
【図１８５】本実施例の中継グループの登録フローを示す図である。
【図１８６】本実施例の中継グループの登録フローを示す図である。
【図１８７】本実施例の中継グループの登録フローを示す図である。
【図１８８】本実施例の中継グループの登録フローを示す図である。
【図１８９】本実施例のユーザ電話番号の登録フローを示す図である。
【図１９０】本実施例のユーザ略称の登録フローを示す図である。
【図１９１】本実施例の発信人名称の登録フローを示す図である。
【図１９２】本実施例の発信人名称の登録フローを示す図である。
【図１９３】本実施例の通信管理レポート時刻の設定フローを示す図である。
【図１９４】本実施例の親展ボックスの登録フローを示す図である。
【図１９５】本実施例の親展ボックスの登録フローを示す図である。
【図１９６】本実施例の親展ボックスの登録フローを示す図である。
【図１９７】本実施例の親展ボックスの登録フローを示す図である。
【図１９８】本実施例のポーリングＩ／Ｄの設定フローを示す図である。
【図１９９】本実施例のスピーカ音量の設定フローを示す図である。
【図２００】本実施例のポーズ時間の設定フローを示す図である。
【図２０１】本実施例の標準モード変更の設定フローを示す図である。
【図２０２】本実施例の標準モード変更の設定フローを示す図である。
【図２０３】本実施例のユーザソフトスイッチ設定の操作フローを示す図である。
【図２０４】本実施例のユーザソフトスイッチ設定の操作フローを示す図である。
【図２０５】本実施例の強制メモリ受信の設定、出力の操作フローを示す図である。
【図２０６】本実施例の強制メモリ受信の設定、出力の操作フローを示す図である。
【図２０７】本実施例の強制メモリ受信の設定、出力の操作フローを示す図である。
【図２０８】本実施例の強制メモリ受信の設定、出力の操作フローを示す図である。
【図２０９】本実施例のリストプリントの操作フローを示す図である。
【図２１０】本実施例のリストプリントの操作フローを示す図である。
【図２１１】本実施例の文字入力画面での操作フローを示す図である。
【図２１２】本実施例の文字入力画面での操作フローを示す図である。
【図２１３】本実施例の文字入力画面での操作フローを示す図である。
【図２１４】本実施例の文字入力画面での操作フローを示す図である。
【図２１５】本実施例の文字入力画面での操作フローを示す図である。
【図２１６】本実施例の文字入力画面での操作フローを示す図である。
【図２１７】本実施例の文字入力画面での操作フローを示す図である。
【図２１８】本実施例の文字入力画面での操作フローを示す図である。
【図２１９】本実施例の文字入力画面での操作フローを示す図である。
【図２２０】本実施例のフォーマッタ部を選択するための制御を示すフローチャートである。
【図２２１】本実施例のＬＩＰＳ／ＰＳ選択画面を示す図である。
【図２２２】本実施例のＬＩＰＳの初期画面を示す図である。
【図２２３】本実施例のＰＳの初期画面を示す図である。
【図２２４】本実施例のプリンタの基本設定フローを示す図である。
【図２２５】本実施例のプリンタの基本設定フローを示す図である。
【図２２６】本実施例のプリントの環境設定を行う操作フローを示す図である。
【図２２７】本実施例のプリントの環境設定を行う操作フローを示す図である。
【図２２８】本実施例のダンプ／動作モードの操作フローを示す図である。
【図２２９】本実施例のダンプ／動作モードの操作フローを示す図である。
【図２３０】本実施例のダンプ／動作モードの操作フローを示す図である。
【図２３１】本実施例のダンプ／動作モードの操作フローを示す図である。
【図２３２】本実施例のスキャナ合成を選択する操作フローを示す図である。
【図２３３】本実施例のスキャナ合成を選択する操作フローを示す図である。
【図２３４】本実施例のスキャナ合成を選択する操作フローを示す図である。
【図２３５】本実施例のスキャナ合成を選択する操作フローを示す図である。
【図２３６】本実施例のスキャナ合成指定時の合成オプションキーでの画質調整処理を選択する操作フローを示す図である。
【図２３７】本実施例のスキャナ合成指定時の合成オプションキーでのズーム調整処理を選択する操作フローを示す図である。
【図２３８】本実施例のスキャナ合成指定時の合成オプションキーでのズーム調整処理を選択する操作フローを示す図である。
【図２３９】本実施例のスキャナ合成指定時の合成オプションキーでのトリミング移動処理を選択する操作フローを示す図である。
【図２４０】本実施例のスキャナ合成指定時の合成オプションキーでのトリミング移動処理を選択する操作フローを示す図である。
【図２４１】本実施例のスキャナ合成指定時の合成オプションキーでのイメージクリエイト処理を選択する操作フローを示す図である。
【図２４２】本実施例のプリント濃度を調節する操作フローを示す図である。
【図２４３】本実施例のオプション情報を確認する操作フローを示す図である。
【図２４４】本実施例のプリントする用紙がないときの表示制御を示すフローチャートである。
【図２４５】本実施例のプリントする用紙がないときの表示制御を示すフローチャートである。
【図２４６】本実施例のカセットに用紙がないことを表すメッセージの表示例を示す図である。
【図２４７】本実施例のコピー機能で選択されているカセット段に用紙があってファックスで出力すべき用紙がないことを表すメッセージの表示例を示す図である。
【図２４８】本実施例のファックス機能で選択されているカセット段に、用紙があって、ファックスで出力すべき用紙がないことを表すメッセージの表示例を示す図である。
【図２４９】本実施例のコピー画面を表示しているときにファックス出力があるときの表示例を示す図である。
【図２５０】本実施例のファックス画面を表示しているときに、プリンタフォーマッタ部からの出力があるときの表示例を示す図である。
【図２５１】本実施例のファックスボード部からエラーが検知された時のエラー番号のファックス設定画面への表示例を示す図である。
【図２５２】本実施例のリーダプリンタ部からエラーが検知された時のファックス画面からコピー画面へ移行した場合のエラーを表示例を示す図である。
【図２５３】本実施例のオートクリア処理を示すフローチャートである。
【図２５４】本実施例の共通設定が選択されたときのオートクリアタイムを設定する操作フローを示す図である。
【図２５５】本実施例の共通設定が選択されたときのオートクリア後、現在設定中の画面を表示するか電源ＯＮ後初期モードで設定される機能の画面を表示するかを選択する操作フローを示す図である。
【図２５６】本実施例の共通設定が選択されたときの初期モードがコピーと指定され、オートクリア後のモードが復帰しないと指定されているときのファックス機能の設定画面で一定時間操作されなかったときの初期画面を示す図である。
【図２５７】本実施例の共通設定のモードの設定の開き方を示す操作フローを示す図である。
【図２５８】本実施例の共通設定のモードの設定の開き方を示す操作フローを示す図である。
【図２５９】本実施例の共通設定のモードの設定の開き方を示す操作フローを示す図である。
【図２６０】本実施例の共通設定のモードの設定の開き方を示す操作フローを示す図である。
【図２６１】本実施例の共通設定のモードの設定の開き方を示す操作フローを示す図である。
【図２６２】本実施例の共通設定のモードの設定の開き方を示す操作フローを示す図である。
【図２６３】本実施例の共通設定のモードの設定の開き方を示す操作フローを示す図である。
【図２６４】本実施例の共通設定のモードの設定の開き方を示す操作フローを示す図である。
【図２６５】本実施例の共通設定のモードの設定の開き方を示す操作フローを示す図である。
【図２６６】本実施例のインタフェースの接続の種類を選択する操作フローを示す図である。
【図２６７】本実施例のインタフェースの接続の種類を選択する操作フローを示す図である。
【図２６８】本発明に係る第２実施例のオートクリアモード制御を示すフローチャートである。
【図２６９】第２実施例のオートクリア後のモードを指定して一定期間操作されなかったことを示す表示例を示す図である。
【図２７０】本発明に係る第３実施例のオートクリアモード制御を示すフローチャートである。
【符号の説明】
【０３３０】
１  画像入力装置（リーダ部）
２  画像出力装置（プリンタ）
３  外部装置
４  ファックス部
５  ファイル部
６  外部記憶装置
７  コンピュータインタフェース部
８  フォーマッタ部
９  イメージメモリ部
１０  コア部
１０１  原稿給送装置
１０２  原稿ガラス面
１０３  ランプ
１０４  スキャナ・ユニット１０４
１０５，１０６，１０７  ミラー
１０８  レンズ
１０９  ＣＣＤイメージ・センサ部（ＣＣＤ）
１１０  画像処理部
２０１  露光制御部
２０１  感光体
２０３  現像器
２０４，２０５  転写紙積載部
２０６  転写部
２０７  定着部
２０８  排紙部
２０９  搬送方向切り替え部材
２１０  再給紙用被転写紙積載部
２２０  ソータ
３０１  表示部
３０２  テンキー
３０３  ３０３  スタートキー
【図１】
0003679795.tif 000002
【図２】
0003679795.tif 000003
【図３】
0003679795.tif 000004
【図４】
0003679795.tif 000005
【図５】
0003679795.tif 000006
【図６】
0003679795.tif 000007
【図７】
0003679795.tif 000008
【図８】
0003679795.tif 000009
【図９】
0003679795.tif 000010
【図１０】
0003679795.tif 000011
【図１１】
0003679795.tif 000012
【図１２】
0003679795.tif 000013
【図１３】
0003679795.tif 000014
【図１４】
0003679795.tif 000015
【図１５】
0003679795.tif 000016
【図１６】
0003679795.tif 000017
【図１７】
0003679795.tif 000018
【図１８】
0003679795.tif 000019
【図１９】
0003679795.tif 000020
【図２０】
0003679795.tif 000021
【図２１】
0003679795.tif 000022
【図２２】
0003679795.tif 000023
【図２３】
0003679795.tif 000024
【図２４】
0003679795.tif 000025
【図２５】
0003679795.tif 000026
【図２６】
0003679795.tif 000027
【図２７】
0003679795.tif 000028
【図２８】
0003679795.tif 000029
【図２９】
0003679795.tif 000030
【図３０】
0003679795.tif 000031
【図３１】
0003679795.tif 000032
【図３２】
0003679795.tif 000033
【図３３】
0003679795.tif 000034
【図３４】
0003679795.tif 000035
【図３５】
0003679795.tif 000036
【図３６】
0003679795.tif 000037
【図３７】
0003679795.tif 000038
【図３８】
0003679795.tif 000039
【図３９】
0003679795.tif 000040
【図４０】
0003679795.tif 000041
【図４１】
0003679795.tif 000042
【図４２】
0003679795.tif 000043
【図４３】
0003679795.tif 000044
【図４４】
0003679795.tif 000045
【図４５】
0003679795.tif 000046
【図４６】
0003679795.tif 000047
【図４７】
0003679795.tif 000048
【図４８】
0003679795.tif 000049
【図４９】
0003679795.tif 000050
【図５０】
0003679795.tif 000051
【図５１】
0003679795.tif 000052
【図５２】
0003679795.tif 000053
【図５３】
0003679795.tif 000054
【図５４】
0003679795.tif 000055
【図５５】
0003679795.tif 000056
【図５６】
0003679795.tif 000057
【図５７】
0003679795.tif 000058
【図５８】
0003679795.tif 000059
【図５９】
0003679795.tif 000060
【図６０】
0003679795.tif 000061
【図６１】
0003679795.tif 000062
【図６２】
0003679795.tif 000063
【図６３】
0003679795.tif 000064
【図６４】
0003679795.tif 000065
【図６５】
0003679795.tif 000066
【図６６】
0003679795.tif 000067
【図６７】
0003679795.tif 000068
【図６８】
0003679795.tif 000069
【図６９】
0003679795.tif 000070
【図７０】
0003679795.tif 000071
【図７１】
0003679795.tif 000072
【図７２】
0003679795.tif 000073
【図７３】
0003679795.tif 000074
【図７４】
0003679795.tif 000075
【図７５】
0003679795.tif 000076
【図７６】
0003679795.tif 000077
【図７７】
0003679795.tif 000078
【図７８】
0003679795.tif 000079
【図７９】
0003679795.tif 000080
【図８０】
0003679795.tif 000081
【図８１】
0003679795.tif 000082
【図８２】
0003679795.tif 000083
【図８３】
0003679795.tif 000084
【図８４】
0003679795.tif 000085
【図８５】
0003679795.tif 000086
【図８６】
0003679795.tif 000087
【図８７】
0003679795.tif 000088
【図８８】
0003679795.tif 000089
【図８９】
0003679795.tif 000090
【図９０】
0003679795.tif 000091
【図９１】
0003679795.tif 000092
【図９２】
0003679795.tif 000093
【図９３】
0003679795.tif 000094
【図９４】
0003679795.tif 000095
【図９５】
0003679795.tif 000096
【図９６】
0003679795.tif 000097
【図９７】
0003679795.tif 000098
【図９８】
0003679795.tif 000099
【図９９】
0003679795.tif 000100
【図１００】
0003679795.tif 000101
【図１０１】
0003679795.tif 000102
【図１０２】
0003679795.tif 000103
【図１０３】
0003679795.tif 000104
【図１０４】
0003679795.tif 000105
【図１０５】
0003679795.tif 000106
【図１０６】
0003679795.tif 000107
【図１０７】
0003679795.tif 000108
【図１０８】
0003679795.tif 000109
【図１０９】
0003679795.tif 000110
【図１１０】
0003679795.tif 000111
【図１１１】
0003679795.tif 000112
【図１１２】
0003679795.tif 000113
【図１１３】
0003679795.tif 000114
【図１１４】
0003679795.tif 000115
【図１１５】
0003679795.tif 000116
【図１１６】
0003679795.tif 000117
【図１１７】
0003679795.tif 000118
【図１１８】
0003679795.tif 000119
【図１１９】
0003679795.tif 000120
【図１２０】
0003679795.tif 000121
【図１２１】
0003679795.tif 000122
【図１２２】
0003679795.tif 000123
【図１２３】
0003679795.tif 000124
【図１２４】
0003679795.tif 000125
【図１２５】
0003679795.tif 000126
【図１２６】
0003679795.tif 000127
【図１２７】
0003679795.tif 000128
【図１２８】
0003679795.tif 000129
【図１２９】
0003679795.tif 000130
【図１３０】
0003679795.tif 000131
【図１３１】
0003679795.tif 000132
【図１３２】
0003679795.tif 000133
【図１３３】
0003679795.tif 000134
【図１３４】
0003679795.tif 000135
【図１３５】
0003679795.tif 000136
【図１３６】
0003679795.tif 000137
【図１３７】
0003679795.tif 000138
【図１３８】
0003679795.tif 000139
【図１３９】
0003679795.tif 000140
【図１４０】
0003679795.tif 000141
【図１４１】
0003679795.tif 000142
【図１４２】
0003679795.tif 000143
【図１４３】
0003679795.tif 000144
【図１４４】
0003679795.tif 000145
【図１４５】
0003679795.tif 000146
【図１４６】
0003679795.tif 000147
【図１４７】
0003679795.tif 000148
【図１４８】
0003679795.tif 000149
【図１４９】
0003679795.tif 000150
【図１５０】
0003679795.tif 000151
【図１５１】
0003679795.tif 000152
【図１５２】
0003679795.tif 000153
【図１５３】
0003679795.tif 000154
【図１５４】
0003679795.tif 000155
【図１５５】
0003679795.tif 000156
【図１５６】
0003679795.tif 000157
【図１５７】
0003679795.tif 000158
【図１５８】
0003679795.tif 000159
【図１５９】
0003679795.tif 000160
【図１６０】
0003679795.tif 000161
【図１６１】
0003679795.tif 000162
【図１６２】
0003679795.tif 000163
【図１６３】
0003679795.tif 000164
【図１６４】
0003679795.tif 000165
【図１６５】
0003679795.tif 000166
【図１６６】
0003679795.tif 000167
【図１６７】
0003679795.tif 000168
【図１６８】
0003679795.tif 000169
【図１６９】
0003679795.tif 000170
【図１７０】
0003679795.tif 000171
【図１７１】
0003679795.tif 000172
【図１７２】
0003679795.tif 000173
【図１７３】
0003679795.tif 000174
【図１７４】
0003679795.tif 000175
【図１７５】
0003679795.tif 000176
【図１７６】
0003679795.tif 000177
【図１７７】
0003679795.tif 000178
【図１７８】
0003679795.tif 000179
【図１７９】
0003679795.tif 000180
【図１８０】
0003679795.tif 000181
【図１８１】
0003679795.tif 000182
【図１８２】
0003679795.tif 000183
【図１８３】
0003679795.tif 000184
【図１８４】
0003679795.tif 000185
【図１８５】
0003679795.tif 000186
【図１８６】
0003679795.tif 000187
【図１８７】
0003679795.tif 000188
【図１８８】
0003679795.tif 000189
【図１８９】
0003679795.tif 000190
【図１９０】
0003679795.tif 000191
【図１９１】
0003679795.tif 000192
【図１９２】
0003679795.tif 000193
【図１９３】
0003679795.tif 000194
【図１９４】
0003679795.tif 000195
【図１９５】
0003679795.tif 000196
【図１９６】
0003679795.tif 000197
【図１９７】
0003679795.tif 000198
【図１９８】
0003679795.tif 000199
【図１９９】
0003679795.tif 000200
【図２００】
0003679795.tif 000201
【図２０１】
0003679795.tif 000202
【図２０２】
0003679795.tif 000203
【図２０３】
0003679795.tif 000204
【図２０４】
0003679795.tif 000205
【図２０５】
0003679795.tif 000206
【図２０６】
0003679795.tif 000207
【図２０７】
0003679795.tif 000208
【図２０８】
0003679795.tif 000209
【図２０９】
0003679795.tif 000210
【図２１０】
0003679795.tif 000211
【図２１１】
0003679795.tif 000212
【図２１２】
0003679795.tif 000213
【図２１３】
0003679795.tif 000214
【図２１４】
0003679795.tif 000215
【図２１５】
0003679795.tif 000216
【図２１６】
0003679795.tif 000217
【図２１７】
0003679795.tif 000218
【図２１８】
0003679795.tif 000219
【図２１９】
0003679795.tif 000220
【図２２０】
0003679795.tif 000221
【図２２１】
0003679795.tif 000222
【図２２２】
0003679795.tif 000223
【図２２３】
0003679795.tif 000224
【図２２４】
0003679795.tif 000225
【図２２５】
0003679795.tif 000226
【図２２６】
0003679795.tif 000227
【図２２７】
0003679795.tif 000228
【図２２８】
0003679795.tif 000229
【図２２９】
0003679795.tif 000230
【図２３０】
0003679795.tif 000231
【図２３１】
0003679795.tif 000232
【図２３２】
0003679795.tif 000233
【図２３３】
0003679795.tif 000234
【図２３４】
0003679795.tif 000235
【図２３５】
0003679795.tif 000236
【図２３６】
0003679795.tif 000237
【図２３７】
0003679795.tif 000238
【図２３８】
0003679795.tif 000239
【図２３９】
0003679795.tif 000240
【図２４０】
0003679795.tif 000241
【図２４１】
0003679795.tif 000242
【図２４２】
0003679795.tif 000243
【図２４３】
0003679795.tif 000244
【図２４４】
0003679795.tif 000245
【図２４５】
0003679795.tif 000246
【図２４６】
0003679795.tif 000247
【図２４７】
0003679795.tif 000248
【図２４８】
0003679795.tif 000249
【図２４９】
0003679795.tif 000250
【図２５０】
0003679795.tif 000251
【図２５１】
0003679795.tif 000252
【図２５２】
0003679795.tif 000253
【図２５３】
0003679795.tif 000254
【図２５４】
0003679795.tif 000255
【図２５５】
0003679795.tif 000256
【図２５６】
0003679795.tif 000257
【図２５７】
0003679795.tif 000258
【図２５８】
0003679795.tif 000259
【図２５９】
0003679795.tif 000260
【図２６０】
0003679795.tif 000261
【図２６１】
0003679795.tif 000262
【図２６２】
0003679795.tif 000263
【図２６３】
0003679795.tif 000264
【図２６４】
0003679795.tif 000265
【図２６５】
0003679795.tif 000266
【図２６６】
0003679795.tif 000267
【図２６７】
0003679795.tif 000268
【図２６８】
0003679795.tif 000269
【図２６９】
0003679795.tif 000270
【図２７０】
0003679795.tif 000271